(57)【要約】【課題】カード決済を行ったユーザに対して、このユーザについて動的に設定された期間に応じた適切な特典を与えることが可能な情報処理装置を提供する。【解決手段】動的に設定される期間に関する個人動的情報を取得する個人動的情報取得部１００と、ユーザに提供される特典を示す特典情報と、個人動的情報についての条件に関する条件情報とを有する特典管理情報が格納される特典情報格納部１０２と、特典情報格納部１０２に格納されている特典管理情報であって、当該特典管理情報が有する条件情報に対応した条件を、個人動的情報取得部１００が取得した個人動的情報が満たす特典管理情報が有する特典情報を取得する特典情報取得部１０５と、第一カード管理情報格納部１０３１から取得したユーザ識別情報に対応する通知先に、ユーザ識別情報に対応する特典情報を送信する出力部１０８とを備えた。【選択図】図１
2014106632.tif 000002
【特許請求の範囲】
【請求項１】
ユーザについて動的に設定される期間に関する情報である個人動的情報を取得する個人動的情報取得部と、
ユーザに提供される特典を示す情報である特典情報と、個人動的情報についての条件に関する情報である条件情報とを有する１以上の特典管理情報が格納される特典情報格納部と、
前記特典情報格納部に格納されている特典管理情報であって、当該特典管理情報が有する条件情報に対応した条件を、前記個人動的情報取得部が取得した個人動的情報が満たす特典管理情報が有する特典情報を取得する特典情報取得部と、
前記特典情報取得部が取得した特典情報を出力する出力部とを備えた情報処理装置。
【請求項２】
決済に利用されるカードである決済カードを利用するユーザのユーザ識別情報と、当該ユーザの通知先を示す情報である通知先情報とを有する１以上の第一カード管理情報が格納される第一カード管理情報格納部を更に備え、
前記個人動的情報取得部は、ユーザの識別情報であるユーザ識別情報を有する個人動的情報を取得し、
前記特典情報取得部は、前記個人動的情報取得部が取得した個人動的情報が有するユーザ識別情報と、前記特典情報格納部に格納されている特典管理情報であって、当該特典管理情報が有する条件情報に対応した条件を、前記個人動的情報が満たす特典管理情報が有する特典情報と、の組を取得し、
前記出力部は、前記特典情報取得部が取得したユーザ識別情報を用いて、前記第一カード管理情報から通知先情報を取得し、当該通知先情報が示す通知先に、当該ユーザ識別情報に対応する特典情報を送信する請求項１記載の情報処理装置。
【請求項３】
決済に利用されるカードである決済カードを利用するユーザのユーザ識別情報と、決済カードの識別情報であるカード識別情報とを有する第二カード管理情報が格納される第二カード管理情報格納部と、
決済カードを利用して行われた決済に関する情報であって、カード識別情報を有する情報であるカード利用情報を受け付けるカード利用情報受付部と、を更に備え、
前記個人動的情報取得部は、ユーザの識別情報であるユーザ識別情報を有する個人動的情報を取得し、
前記特典情報取得部は、前記カード利用情報受付部が受け付けたカード利用情報に含まれるカード識別情報と対応するユーザ識別情報を、前記第二カード管理情報格納部から取得し、当該ユーザ識別情報を有する個人動的情報に対応する特典情報を取得する請求項１または請求項２記載の情報処理装置。
【請求項４】
前記出力部は、前記カード利用情報受付部が受け付けたカード利用情報に含まれるカード識別情報と対応する決済カードの表示を変更する出力を行う請求項３記載の情報処理装置。
【請求項５】
決済に利用されるカードである決済カードを利用するユーザのユーザ識別情報と、当該ユーザの位置を示す情報であるユーザ位置情報とを有する１以上の第三カード管理情報が格納される第三カード管理情報格納部を更に備え、
前記特典情報格納部には、決済カードで決済が行われる店舗を識別する情報である店舗識別情報を条件情報として有する特典管理情報が格納されており、
店舗識別情報と、当該店舗識別情報が示す店舗の位置を示す情報である店舗位置情報とを有する店舗位置管理情報が格納される店舗位置管理情報格納部を更に備え、
前記特典情報取得部は、前記特典情報格納部に格納されている特典管理情報であって、当該特典管理情報が有する条件情報である店舗識別情報を用いて前記店舗位置管理情報から取得した店舗位置情報と、前記第三カード管理情報から取得した前記個人動的情報が有するユーザ識別情報に対応付けられたユーザ位置情報とが予め指定された位置関係となる特典管理情報が有する特典情報を取得する請求項１から請求項４いずれか一項記載の情報処理装置。
【請求項６】
前記個人動的情報は、動的に決定される期間の種類を示す情報である期間種類情報を有しており、
前記特典情報格納部には、異なる期間種類情報を条件情報として有する複数の特典管理情報が格納されており、
前記特典情報取得部は、前記特典情報格納部に格納されている特典管理情報であって、当該特典管理情報が有する条件情報である期間種類情報が、前記個人動的情報が有する期間種類情報に対応する期間種類情報である特典管理情報が有する特典情報を取得する請求項１から請求項５いずれか一項記載の情報処理装置。
【請求項７】
前記特典情報格納部には、決済カードで決済が行われる店舗を識別する情報である店舗識別情報を有する特典管理情報が格納されており、
前記カード利用情報は、決済カードで決済が行われた店舗の店舗識別情報を有しており、
前記特典情報取得部は、前記カード利用情報受付部が受け付けたカード利用情報に含まれる店舗識別情報と対応する店舗識別情報と更に対応付けられた特典情報を取得する請求項３または請求項４記載の情報処理装置。
【請求項８】
前記個人動的情報取得部は、１以上のサーバ装置をクローリングして個人動的情報を取得する請求項１から請求項７いずれか一項記載の情報処理装置。
【請求項９】
前記個人動的情報は、動的に設定される期間を示す情報である期間情報を更に有しており、
前記カード利用情報は、決済カードを利用した日時の情報である利用日時情報を有しており、
前記特典情報取得部は、前記カード利用情報受付部が受け付けたカード利用情報に含まれる利用日時情報が示す日時を含む期間を示す期間情報と更に対応付けられた特典情報を取得する請求項３、請求項４、または請求項７記載の情報処理装置。
【請求項１０】
請求項１から請求項９いずれか一項記載の情報処理装置に、個人動的情報を送信するサーバ装置であって、
個人動的情報を受け付ける個人動的情報受付部と、
前記個人動的情報受付部が受け付けた個人動的情報が、予め指定された条件を満たすか否かを判断する判断部と、
前記判断部が条件を満たすと判断した場合に、前記個人動的情報受付部が受け付けた個人動的情報を前記情報処理装置に送信する送信部とを備えたサーバ装置。
【請求項１１】
個人動的情報取得部と、ユーザに提供される特典を示す情報である特典情報と、ユーザの識別情報であるユーザ識別情報を有する情報であって、動的に設定される期間に関する情報である個人動的情報についての条件に関する情報である条件情報とを有する１以上の特典管理情報が格納される特典情報格納部と、特典情報取得部と、出力部とを用いて行われる情報処理方法であって、
前記個人動的情報取得部が、ユーザについて動的に設定される期間に関する情報である個人動的情報を取得する個人動的情報取得ステップと、
前記特典情報取得部が、前記特典情報格納部に格納されている特典管理情報であって、当該特典管理情報が有する条件情報に対応した条件を、前記個人動的情報取得ステップで取得した個人動的情報が満たす特典管理情報が有する特典情報を取得する特典情報取得ステップと、
前記出力部が、前記特典情報取得ステップで取得した特典情報を出力する出力ステップとを備えた情報処理方法。
【請求項１２】
ユーザに提供される特典を示す情報である特典情報と、個人動的情報についての条件に関する情報である条件情報とを有する１以上の特典管理情報が格納される特典情報格納部にアクセス可能なコンピュータを、
ユーザについて動的に設定される期間に関する情報である個人動的情報を取得する個人動的情報取得部と、
前記特典情報格納部に格納されている特典管理情報であって、当該特典管理情報が有する条件情報に対応した条件を、前記個人動的情報取得部が取得した個人動的情報が満たす特典管理情報が有する特典情報を取得する特典情報取得部と、
前記特典情報取得部が取得した特典情報を出力する出力部として機能させるためのプログラム。
【発明の詳細な説明】
【技術分野】
【０００１】
本発明は、決済カードを利用するユーザに対して特典を与えるための装置等に関するものである。
【背景技術】
【０００２】
従来の技術として、顧客に対して、曜日、日時、天候、顧客に応じたクーポンを発行し、広告やサービスを提供するものが知られていた（例えば、特許文献１参照）。
【先行技術文献】
【特許文献】
【０００３】
【特許文献１】特開２００１−０３４８５０号公報（第１頁、第１図等）
【発明の概要】
【発明が解決しようとする課題】
【０００４】
しかしながら、従来の技術においては、予め指定されている日時や曜日等にクーポン等を発行することはできるが、クレジットカード等の決済カードを利用するユーザに対して、このユーザについて動的に設定された期間に応じた適切な特典を与えることができないという課題があった。例えば、従来においては、ユーザが有給休暇を取得して勤務先の企業を休んだ際に、決済カードのユーザに対して適切な特典を与えることができなかった。
【課題を解決するための手段】
【０００５】
本発明の情報処理装置は、ユーザについて動的に設定される期間に関する情報である個人動的情報を取得する個人動的情報取得部と、ユーザに提供される特典を示す情報である特典情報と、個人動的情報についての条件に関する情報である条件情報とを有する１以上の特典管理情報が格納される特典情報格納部と、特典情報格納部に格納されている特典管理情報であって、特典管理情報が有する条件情報に対応した条件を、個人動的情報取得部が取得した個人動的情報が満たす特典管理情報が有する特典情報を取得する特典情報取得部と、特典情報取得部が取得した特典情報を出力する出力部とを備えた情報処理装置である。
【０００６】
かかる構成により、カード決済を利用するユーザに対して、このユーザについて動的に設定された期間に応じた適切な特典を与えることができる。
【０００７】
また、本発明の情報処理装置は、前記情報処理装置において、決済に利用されるカードである決済カードを利用するユーザのユーザ識別情報と、ユーザの通知先を示す情報である通知先情報とを有する１以上の第一カード管理情報が格納される第一カード管理情報格納部を更に備え、個人動的情報取得部は、ユーザの識別情報であるユーザ識別情報を有する個人動的情報を取得し、特典情報取得部は、個人動的情報取得部が取得した個人動的情報が有するユーザ識別情報と、特典情報格納部に格納されている特典管理情報であって、特典管理情報が有する条件情報に対応した条件を、個人動的情報が満たす特典管理情報が有する特典情報と、の組を取得し、出力部は、特典情報取得部が取得したユーザ識別情報を用いて、第一カード管理情報から通知先情報を取得し、通知先情報が示す通知先に、ユーザ識別情報に対応する特典情報を送信する情報処理装置である。
【０００８】
かかる構成により、決済カードを利用するユーザに対して、このユーザについて動的に設定された期間に応じた適切な特典を与えることができる。また、ユーザに、どのような特典が与えられたかを認識させることができる。
【０００９】
また、本発明の情報処理装置は、決済に利用されるカードである決済カードを利用するユーザのユーザ識別情報と、決済カードの識別情報であるカード識別情報とを有する第二カード管理情報が格納される第二カード管理情報格納部と、決済カードを利用して行われた決済に関する情報であって、カード識別情報を有する情報であるカード利用情報を受け付けるカード利用情報受付部と、を更に備え、個人動的情報取得部は、ユーザの識別情報であるユーザ識別情報を有する個人動的情報を取得し、特典情報取得部は、カード利用情報受付部が受け付けたカード利用情報に含まれるカード識別情報と対応するユーザ識別情報を、第二カード管理情報格納部から取得し、ユーザ識別情報を有する個人動的情報に対応する特典情報を取得する情報処理装置である。
【００１０】
かかる構成により、カード決済を行ったユーザに対して、このユーザについて動的に設定された期間に応じた適切な特典を与えることができる。
【００１１】
また、本発明の情報処理装置は、前記情報処理装置において、出力部は、カード利用情報受付部が受け付けたカード利用情報に含まれるカード識別情報と対応する決済カードの表示を変更する出力を行う情報処理装置である。
【００１２】
かかる構成により、決済カードの表示を、ユーザが取得した特典情報に関する表示に変更することができる。
【００１３】
また、本発明の情報処理装置は、前記情報処理装置において、決済に利用されるカードである決済カードを利用するユーザのユーザ識別情報と、ユーザの位置を示す情報であるユーザ位置情報とを有する１以上の第三カード管理情報が格納される第三カード管理情報格納部を更に備え、特典情報格納部には、決済カードで決済が行われる店舗を識別する情報である店舗識別情報を条件情報として有する特典管理情報が格納されており、店舗識別情報と、店舗識別情報が示す店舗の位置を示す情報である店舗位置情報とを有する店舗位置管理情報が格納される店舗位置管理情報格納部を更に備え、特典情報取得部は、特典情報格納部に格納されている特典管理情報であって、特典管理情報が有する条件情報である店舗識別情報を用いて店舗位置管理情報から取得した店舗位置情報と、第三カード管理情報から取得した個人動的情報が有するユーザ識別情報に対応付けられたユーザ位置情報とが予め指定された位置関係となる特典管理情報が有する特典情報を取得する情報処理装置である。
【００１４】
かかる構成により、ユーザの位置と店舗の位置との関係に応じて、適切な店舗の特典情報を取得することができる。
【００１５】
また、本発明の情報処理装置は、前記情報処理装置において、個人動的情報は、動的に決定される期間の種類を示す情報である期間種類情報を有しており、特典情報格納部には、異なる期間種類情報を条件情報として有する複数の特典管理情報が格納されており、特典情報取得部は、特典情報格納部に格納されている特典管理情報であって、特典管理情報が有する条件情報である期間種類情報が、個人動的情報が有する期間種類情報に対応する期間種類情報である特典管理情報が有する特典情報を取得する情報処理装置である。
【００１６】
かかる構成により、個人動的情報が示す期間の種類に応じて、適切な特典を与えることができる。
【００１７】
また、本発明の情報処理装置は、前記情報処理装置において、特典情報格納部には、決済カードで決済が行われる店舗を識別する情報である店舗識別情報を有する特典管理情報が格納されており、カード利用情報は、決済カードで決済が行われた店舗の店舗識別情報を有しており、特典情報取得部は、カード利用情報受付部が受け付けたカード利用情報に含まれる店舗識別情報と対応する店舗識別情報と更に対応付けられた特典情報を取得する情報処理装置である。
【００１８】
かかる構成により、決済が行われた店舗に対応した特典をユーザに与えることができる。
【００１９】
また、本発明の情報処理装置は、前記情報処理装置において、個人動的情報取得部は、１以上のサーバ装置から送信される個人動的情報を受信する情報処理装置である。
【００２０】
かかる構成により、サーバ装置から送信される個人動的情報に応じて、ユーザに対し適切な特典を与えることができる。
【００２１】
また、本発明の情報処理装置は、前記情報処理装置において、個人動的情報取得部は、１以上のサーバ装置をクローリングして個人動的情報を取得する情報処理装置である。
【００２２】
かかる構成により、クローリングにより自動取得した個人動的情報に応じて、ユーザに対し適切な特典を与えることができる。
【００２３】
また、本発明の情報処理装置は、前記情報処理装置において、個人動的情報は、動的に設定される期間を示す情報である期間情報を更に有しており、カード利用情報は、決済カードを利用した日時の情報である利用日時情報を有しており、ユーザ抽出部は、更に個人動的情報取得部が取得した個人動的情報が有する期間情報を取得し、特典情報取得部は、カード利用情報受付部が受け付けたカード利用情報に含まれる利用日時情報が示す日時を含む期間を示す期間情報と更に対応付けられた特典情報を取得する情報処理装置である。
【００２４】
かかる構成により、個人動的情報が示す期間に決済カードが利用された場合に，ユーザに対し適切な特典を与えることができる。
【００２５】
また、本発明の情報処理装置は、前記情報処理装置において、個人動的情報は、企業におけるユーザの勤怠に関する情報である勤怠情報である情報処理装置である。
【００２６】
かかる構成により、カード決済を行ったユーザに対して、このユーザの勤怠に応じた適切な特典を与えることができる。
【００２７】
また、本発明の情報処理装置は、前記情報処理装置において、勤怠情報は、休暇に関する情報である休暇情報である情報処理装置である。
【００２８】
かかる構成により、カード決済を行ったユーザに対して、このユーザの休暇に応じた適切な特典を与えることができる。
【００２９】
また、本発明の情報処理装置は、前記情報処理装置において、個人動的情報は、休暇に関する情報である休暇情報であり、期間種類情報は、休暇の種類を示す情報である情報処理装置である。
【００３０】
かかる構成により、個人動的情報が示す休暇の種類に応じて、適切な特典を与えることができる。
【００３１】
また、本発明のサーバ装置は、前記情報処理装置に、個人動的情報を送信するサーバ装置であって、個人動的情報を受け付ける個人動的情報受付部と、個人動的情報受付部が受け付けた個人動的情報が、予め指定された条件を満たすか否かを判断する判断部と、判断部が条件を満たすと判断した場合に、個人動的情報受付部が受け付けた個人動的情報を情報処理装置に送信する送信部とを備えたサーバ装置である。
【００３２】
かかる構成により、条件を満たす個人動的情報を情報処理装置に送信することができ、不要な個人動的情報を情報処理装置に送信しないようにすることができる。
【発明の効果】
【００３３】
本発明による情報処理装置等によれば、決済カードを利用するユーザに対して、このユーザについて動的に設定された期間に応じた適切な特典を与えることができる。
【図面の簡単な説明】
【００３４】
【図１】本発明の実施の形態における情報処理装置およびサーバ装置のブロック図
【図２】同情報処理装置の動作の一例について説明するフローチャート
【図３】同サーバ装置の動作の一例について説明するフローチャート
【図４】同情報処理装置を備えた情報処理システムの一例を示す概念図
【図５】同情報処理装置の個人動的情報管理情報の一例を示す図
【図６】同情報処理装置のカード管理情報の一例を示す図
【図７】同情報処理装置の特典管理情報の一例を示す図
【図８】同情報処理装置を備えた情報処理システムの一例を示す概念図
【図９】個人動的情報取得部１００が取得したＷＥＢページのソースの一例を示す図（図９（ａ））、およびＷＥＢページの表示例を示す図（図９（ｂ））
【図１０】同情報処理装置の個人動的情報管理情報の一例を示す図
【図１１】同情報処理装置の特典管理情報の一例を示す図
【図１２】同情報処理装置を実現するコンピュータの外観の一例を示す模式図
【図１３】同コンピュータの内部構成の一例を示す模式図
【図１４】同情報処理装置の店舗位置管理情報を示す図
【図１５】同情報処理装置の抽出特典管理情報を示す図
【図１６】同情報処理装置の出力部が送信するメールの表示例を示す図
【図１７】同情報処理装置の出力に応じて表示が変更された決済カードを示す図
【発明を実施するための形態】
【００３５】
以下、情報処理装置等の実施形態について図面を参照して説明する。なお、実施の形態において同じ符号を付した構成要素は同様の動作を行うので、再度の説明を省略する場合がある。
【００３６】
（実施の形態）
図１は、本実施の形態における情報処理装置１、および情報処理装置１に後述する個人動的情報を送信するサーバ装置３のブロック図である。
【００３７】
情報処理装置１は、個人動的情報取得部１００、個人動的情報格納部１０１、特典情報格納部１０２、第一カード管理情報格納部１０３１、第二カード管理情報格納部１０３２、第二カード管理情報格納部１０３３、カード利用情報受付部１０４、特典情報取得部１０５、店舗位置管理情報格納部１０７、出力部１０８、および抽出特典格納部１１０を備える。
特典情報取得部１０５は、ユーザ抽出手段１０５１と、取得手段１０５２とを備える。
出力部１０８は、通知手段１０８１と、特典出力手段１０８２とを備える。
【００３８】
サーバ装置３は、個人動的情報受付部３００と、サーバ個人動的情報格納部３０１と、判断部３０２と、送信部３０３とを備えている。
【００３９】
情報処理装置１の個人動的情報取得部１００と、サーバ装置３の送信部３０３とは、ここでは一例として、インターネット等のネットワークや、通信回線等により通信可能に接続されているものとする。なお、図１においては、説明の便宜上、サーバ装置３が一つである場合を例に挙げて説明しているが、サーバ装置３は、複数であっても良い。
【００４０】
個人動的情報取得部１００は、１または２以上の個人動的情報を取得する。個人動的情報は、ユーザについて動的に設定される期間に関する情報である。個人動的情報は、例えば、ユーザ識別情報を有する。動的に設定される期間とは、例えば、ユーザに対して動的に設定される期間である。動的に設定される期間とは、例えば、ユーザやユーザが属する企業により動的に設定された期間である。動的に設定される期間とは、例えば、ユーザが個人の意志で設定可能な期間である。動的に設定される期間とは、例えば、ユーザの休暇の期間である。ここでの休暇とは、例えば、有給休暇である。また、動的に設定される期間とは、例えば、ユーザが旅行に出ている期間や、ユーザが出張している期間である。また、動的に設定される期間は、ユーザの出勤の期間の情報や出張の期間の情報である。ここでの期間は、例えば、「１４日」や、「２１日から２４日まで」等の日単位の期間であっても良いし、「７日午後６時から７日午後２時まで」等の時刻単位で指定される期間であっても良い。
【００４１】
なお、動的に設定される期間を除いた期間とは、例えば、ユーザ等が変更できない静的に設定された期間である。動的に設定される期間以外の期間とは、例えば、日曜日や祝日等の休日である。また、動的に設定される期間以外の期間とは、例えば、ユーザの誕生日等である。
【００４２】
ここでのユーザは、例えば、決済カードのユーザである。決済カードのユーザとは、例えば、決済カードの契約者や、決済カードの名義人、決済カードの利用者として登録されている人、決済カードの利用者、決済カードの購入者等である。ユーザは、例えば、通常は個人であるが、家族や企業等のグループと考えても良い。ユーザは、例えば、企業等の組織の構成員である。決済カードについては後述する。例えば、ユーザは、企業の社員である。ユーザ識別情報は、ユーザの識別情報である。ユーザ識別情報は、例えば、ユーザの名前や、社員番号、会員番号、携帯電話番号、メールアドレス等である。ユーザ識別情報は、Ｔｗｉｔｔｅｒ（登録商標）やｆａｃｅｂｏｏｋ（登録商標）等のいわゆるソーシャルメディアのユーザ名やユーザＩＤであっても良い。各個人動的情報は、具体的には、各個人動的情報が有するユーザ識別情報が示すユーザについて動的に設定される期間である。個人動的情報取得部１００は、異なるユーザの個人動的情報を取得しても良い。
【００４３】
個人動的情報は、例えば、ユーザ識別情報と、動的に設定される期間を示す期間情報を有する情報である。期間情報は、例えば、期間の範囲、即ち期間の開始時と終了時とを判断可能な情報であれば、期間の開始日時と終了日時との組合せや、期間を構成する１以上の日付等、どのような情報であっても良い。また、期間情報は、今日が期間であること示す情報であっても良い。
【００４４】
個人動的情報は、更に、動的に決定される期間の種類を示す情報である期間種類情報を有していても良い。期間種類情報は、期間情報が示す期間の種類を示す情報と考えても良い。期間の種類とは、例えば、期間の名目や、期間の分類、期間の目的や用途等である。期間種類情報は、例えば、育児休暇、看護休暇、リフレッシュ休暇、結婚休暇、ボランティア休暇、人間ドック休暇、転勤休暇、出張、出勤、休日出勤等である。
【００４５】
個人動的情報は、例えば、会社勤怠情報である。会社勤怠情報とは、企業におけるユーザの勤怠に関する情報である。勤怠とは、例えば、出勤、退勤、欠勤などの状況である。会社勤怠情報は、例えば、休暇情報である。休暇情報は、休暇に関する情報である。ここでの休暇とは、例えば、有給休暇である。また、ここでの休業は、例えば、産前産後休暇や、育児休暇等のように、ユーザの属する企業のルールや法律等によって、ユーザ毎に動的に与えられる休業期間であってもよい。休暇情報は、例えば、ユーザが会社に申請して受理された休暇期間を示す情報を含む情報である。休暇情報は、例えば、上述したようなユーザ識別情報と、期間情報とを有する。休暇情報は、更に、期間種類情報を有していても良い。また、会社勤怠情報は、出勤に関する情報である出勤情報や、出張の情報である出張情報であっても良い。出勤情報は、例えば、出勤期間の情報を有する情報である。また、出張の情報は、出張期間の情報を有する情報である。
【００４６】
個人動的情報取得部１００は、どのように個人動的情報を取得してもよい。ここでの取得は、例えば、情報の受信や、情報の受け付け、情報の読み出し等を含む概念である。情報の受け付けとは、キーボードやマウスなどの入力デバイスから入力された情報の受け付け、光ディスクや磁気ディスク、半導体メモリなどの記録媒体から読み出された情報の受け付けなどを含む概念である。以下においては、一例として、個人動的情報取得部１００が、１以上のサーバ装置３等から、ネットワークや通信回線等を介して送信される個人動的情報を受信する場合を例に挙げて説明する。１以上のサーバ装置３は、例えば、企業において、会社勤怠情報を管理するサーバ装置であり、個人動的情報取得部１００は、このサーバ装置３から送信される会社勤怠情報を個人動的情報として受信する。
【００４７】
なお、個人動的情報取得部１００は、例えば、１または２以上のサーバ装置（図示せず）をクローリングして個人動的情報を取得するようにしてもよい。クローリングとは、１または２以上のサーバ装置（図示せず）で管理されている情報（例えば、ファイル）を自動取得する処理である。例えば、クローリングとは、ＷＥＢサーバ装置（図示せず）で管理されているＨＴＭＬファイル等を、各ＨＴＭＬファイルに含まれるリンク情報を辿って自動取得する処理である。クローリングの対象となるサーバ装置は、予め指定された１または２以上のサーバ装置であっても良いし、不特定の１または２以上のサーバ装置であっても良い。個人動的情報取得部１００は、クローリングにより取得した情報から、個人動的情報を取得する。例えば、クローリングにより取得したファイル等から、個人動的情報が配置されていると考えられる予め指定されたパターンを有する箇所を検出し、検出した箇所に含まれる個人動的情報を取得する。予め指定されたパターンとは、例えば、文字列やコードの出現パターンである。このようにクローリングにより取得した情報から特定の情報を取得する処理は、スクレイピングと呼ばれる。なお、クローリングやスクレイピングについては、検索サイト等の技術として公知の技術であるのでここでは詳細な説明は省略する。個人動的情報取得部１００は、例えば、Ｔｗｉｔｔｅｒ（登録商標）やｆａｃｅｂｏｏｋ（登録商標）等のいわゆるソーシャルメディアへの投稿文と、そのユーザ名やユーザＩＤから個人動的情報を取得しても良い。なお、個人動的情報取得部１００がクローリングにより個人動的情報を取得する場合の例については、後述する具体例２において説明する。
【００４８】
個人動的情報取得部１００は、例えば、取得した個人動的情報を個人動的情報格納部１０１に蓄積する。
【００４９】
個人動的情報取得部１００は、例えば、個人動的情報を受信するための通信手段や、個人動的情報を受け付けるための入力デバイス等のドライバや、個人動的情報を読み出すためのドライバ等を有していても良い。
【００５０】
個人動的情報格納部１０１には、個人動的情報が格納される。個人動的情報格納部１０１に個人動的情報が格納される過程等は問わない。この実施の形態においては、個人動的情報取得部１００が取得した個人動的情報が個人動的情報格納部１０１に格納される場合を例に挙げて説明する。ここでの格納は、一時記憶も含む概念である。特典情報格納部１０２は、不揮発性の記録媒体が好適であるが、揮発性の記録媒体でも実現可能である。かかることは他の格納部においても同様である。
【００５１】
特典情報格納部１０２には、１または２以上の特典情報が格納される。特典情報とは、ユーザに提供される特典を示す情報である。特典とは、例えば、カード決済を行うユーザに特別に与えられる待遇や、物や、サービス等である。特典とは、例えば、決済カードを用いて購入した購入代金からの割引、購入した商品またはサービスのアップグレード、割引クーポン、特別なポイントの付与、おまけ付与、ユーザのステイタスの上位のステイタスへの変更等である。通常、ステイタスが高くなるほど、ユーザは、さまざまな割引やサービスと受けることが可能となる。なお、特典情報は、プログラム等に埋め込まれていても良い。
【００５２】
特典情報格納部１０２には、例えば、１または２以上の特典管理情報が格納される。特典管理情報は、例えば、１または２以上の特典情報と、１または２以上の条件情報とを有する情報である。条件情報とは、個人動的情報についての条件に関する情報である。条件情報は、個人動的情報取得部１００が取得した個人動的情報に対応した特典情報を検出するために用いられる条件に利用される情報と考えてもよい。条件情報は、例えば、条件の一部や、条件の変数として用いられる情報である。また、条件情報は、条件に用いられる情報を取得するために利用される情報であっても良い。条件情報は、例えば、上述した期間種類情報や、店舗識別情報等のカテゴリーに属する条件情報である。店舗識別情報は、決済カードを利用して決済が行われる店舗を識別する情報である。決済が行われる店舗は、決済カードを利用して商品またはサービスの購入が行われる店舗と考えても良い。店舗識別情報は、例えば、店舗名や、店舗に割り当てられたコードや、店舗の電話番号、店舗のメールアドレス等である。特典情報を検出する際に用いられる条件は、例えば、当該条件情報を変数や、その一部等として利用して条件を得るための予め用意された情報を用いて生成される。また、この予め用意された情報は、一以上の関数や、メソッド名や、制御構文やアルゴリズム等であっても良い。予め用意された情報は、例えば、図示しない記憶媒体等に予め格納しておくようにすればよい。
【００５３】
特典情報格納部１０２には、例えば、期間種類情報を条件情報として有する１または２以上の特典管理情報が格納される。特典情報格納部１０２には、例えば、異なる期間種類情報と特典情報とを有する複数の特典管理情報が格納されるようにしてもよい。特典情報格納部１０２には、例えば、店舗識別情報を条件情報として有する１または２以上の特典管理情報が格納されてもよい。特典情報格納部１０２には、例えば、異なる店舗識別情報と特典情報とを有する複数の特典管理情報が格納されるようにしてもよい。なお、一の特典管理情報は、条件情報である期間種類情報と、条件情報である店舗識別情報とを有していてもよい。特典情報格納部１０２には、例えば、異なる期間種類情報と、異なる店舗識別情報と、特典情報とを有する複数の特典管理情報が格納されるようにしてもよい。また、条件情報は、上記以外の条件を更に有していてもよい。
【００５４】
特典情報格納部１０２には、決済カードで決済が行われる店舗を識別する情報である店舗識別情報を有する特典管理情報が格納されていてもよい。この店舗識別情報は、上述した条件情報の店舗識別情報と考えてもよいし、条件情報の店舗識別情報とは別に設けられていても良い。
【００５５】
第一カード管理情報格納部１０３１には、１または２以上の第一カード管理情報が格納される。第一カード管理情報は、例えば、決済カードを利用するユーザのユーザ識別情報と、このユーザの通知先情報とを有する。通知先情報は、ユーザの通知先を示す情報である。ここでの通知先とは、例えば、特典情報を通知する際の通知先である。通知先情報は、例えば、通知先のメールアドレス等のアドレス情報や、通知先のユーザのアカウントや、通知先のユーザが利用しているサービスを指定する情報とそのユーザのアカウントの組み合わせや、通知先のファクシミリ番号等である。
【００５６】
決済カードを利用するユーザとは、決済カードの契約者や、決済カードの名義人、決済カードの利用者として登録されている人、決済カードの購入者等も含む概念である。
【００５７】
第二カード管理情報格納部１０３２には、１または２以上の第二カード管理情報が格納される。第二カード管理情報は、例えば、決済カードを利用するユーザのユーザ識別情報と、この決済カードのカード識別情報とを有する情報である。決済カードとは、ユーザが購入した商品やサービスの代金の決済に用いられるカードである。決済カードは、例えば、クレジットカードや、デビッドカード、電子マネーカード等である。クレジットカードやデビッドカード等は、通常、カード番号等のカード識別情報を有している。また、例えば、カードの種類の情報や、カードの有効期限の情報等を有している。電子マネーカードは、例えば、カード内のＩＣチップに金額に相当する値が格納されており、この値の授受によって金銭の授受を行うＩＣカード型のものであっても良い。また、カード内のＩＣチップにカードＩＤ等が格納されており、このカードＩＤ等をサーバ等に送信することで、金銭の授受を行うサーバ型のものであっても良い。なお、決済カードは、必ずしも外観がカード形状を有していなくても良い。例えば、決済カードと同様の情報を有する携帯電話や、携帯情報端末等を、決済カードと考えても良い。
【００５８】
カード識別情報とは、決済カードの識別情報であり、例えば、決済カードのカード番号や、決済カードのカード番号とセキュリティコードとの組合せや、決済カードに格納されているコード等である。通常、決済カードには、この決済カード自身のカード識別情報が、取得可能な態様で付与されている。取得可能な態様で付与とは、例えば、決済カードの表面や裏面に、このカード自身のカード識別情報が記載（刻印または印刷）されていることであっても良い。また、取得可能な態様で付与とは、決済カードに取り付けられた磁気テープ等の磁気記録媒体や、決済カード５に取り付けられたＲＦＩＤタグ等に、カード識別情報が読み取り可能に蓄積されていることであってもよい。
【００５９】
第三カード管理情報格納部１０３３には、１または２以上の第三カード管理情報が格納される。第一カード管理情報は、例えば、決済カードを利用するユーザのユーザ識別情報と、このユーザのユーザ位置情報とを有する情報である。ユーザ位置情報は、ユーザの位置を示す情報である。ユーザの位置情報は、例えば、ユーザの自宅の位置や勤務先の位置等の、ユーザが登録した位置や、ユーザが定住している位置や、ユーザの滞在時間が長い位置を示す情報であってもよい。また、ユーザの位置情報は、例えば、ユーザの現在位置の位置情報であってもよい。ユーザの位置情報は、例えば、緯度と経度とを組み合わせた座標や住所等で示される。
【００６０】
なお、本実施の形態においては、上述した第一カード管理情報と、第二カード管理情報と、第三カード管理情報とのうちの２以上のかわりに、同じユーザ識別情報を有する管理情報を対応付けた一の管理情報を用いるようにしても良い。例えば、第一カード管理情報と、第二カード管理情報とを用いる代わりに、これらの各レコードの、同じユーザ識別情報を有するレコードを対応付けた、ユーザ識別情報と、通知先情報と、カード識別情報とを有する管理情報を用いるようにしても良い。このような場合も、第一カード管理情報と第二カード管理情報とを有するものと考えて良い。この場合、第一カード管理情報格納部１０３１と第二カード管理情報格納部１０３２とを一の格納部（図示せず）で実現するようにしても良い。本実施の形態においては、このような場合も、実質的に、第一カード管理情報が格納される第一カード管理情報格納部と、第二カード管理情報が格納される第二カード管理情報格納部とを有しているものと考えて良い。また、同様に、例えば、第一カード管理情報と、第二カード管理情報と、第三カード管理情報とを用いる代わりに、これらの各レコードの、同じユーザ識別情報を有するレコードを対応付けた、ユーザ識別情報と、通知先情報と、カード識別情報と、ユーザ位置情報とを有する管理情報を用いるようにしても良い。この場合、第一カード管理情報格納部１０３１と第二カード管理情報格納部１０３２と第三カード管理情報格納部１０３３を一の格納部（図示せず）で実現するようにしても良い。本実施の形態においては、このような場合も、実質的に、第一カード管理情報が格納される第一カード管理情報格納部と、第二カード管理情報が格納される第二カード管理情報格納部と、第三カード管理王が格納される第三カード管理情報格納部を有しているものと考えて良い。後述する具体例においては、このように一の格納部（図示せず）にユーザ識別情報と、通知先情報と、カード識別情報と、ユーザ位置情報とを有する管理情報が格納されている場合の例について説明している。
【００６１】
カード利用情報受付部１０４は、１または２以上のカード利用情報を受け付ける。カード利用情報は、ユーザにより決済カードを利用して行われた決済に関する情報である。例えば、カード利用情報は、決済に利用された決済カードのカード識別情報を有する情報である。また、カード利用情報は、決済された金額や、決済された商品やサービスの識別情報や、決済された商品やサービスの数量や時間等に関する情報を有していても良い。
【００６２】
カード利用情報は、決済カードを利用した日時の情報である利用日時情報を有していても良い。なお、ここでの利用日時情報は、決済カードを利用して決済が行われた日付だけの情報や、決済が行われた時間帯を示す情報も含む概念である。
【００６３】
カード利用情報は、決済カードで決済が行われた店舗の店舗識別情報を有していてもよい。
【００６４】
ここでの受け付けとは、キーボードやマウス、タッチパネルなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。
【００６５】
例えば、カード利用情報受付部１０４は、各店舗に設置されている決済カードを用いて決済を行う端末装置（図示せず）から送信されるカード利用情報を受信する。あるいは、カード決済を提供する企業等のサーバ装置等が、決済を行う端末装置等から一旦受信したカード利用情報を、カード利用情報受付部１０４が受け付けるようにしてもよい。
【００６６】
カード利用情報の入力手段は、テンキーやキーボードやマウスやメニュー画面によるものや、通信手段等、何でも良い。カード利用情報受付部１０４は、テンキーやキーボード等の入力手段のデバイスドライバーや、通信手段のデバイスドライバーや、メニュー画面の制御ソフトウェア等で実現され得る。
【００６７】
特典情報取得部１０５は、特典情報格納部１０２に格納されている特典管理情報であって、この特典管理情報が有する条件情報に対応した条件を、個人動的情報取得部１００が取得した個人動的情報が満たす特典管理情報が有する特典情報を取得する。
【００６８】
特典情報取得部１０５は、例えば、個人動的情報取得部１００が取得した個人動的情報が有するユーザ識別情報と、特典情報格納部１０２に格納されている特典管理情報であって、この特典管理情報が有する条件情報に対応した条件を、個人動的情報が満たす特典管理情報が有する特典情報と、の組を取得してもよい。
【００６９】
また、特典情報取得部１０５は、カード利用情報受付部１０５が受け付けたカード利用情報に含まれるカード識別情報と対応するユーザ識別情報を、第二カード管理情報格納部１０３２から取得し、この取得したユーザ識別情報を有する個人動的情報に対応する特典情報を取得するようにしてもよい。ここでの個人動的情報に対応する特典情報とは、例えば、特典情報格納部１０２に格納されている特典管理情報が有する特典情報であって、この特典管理情報が有する条件情報に対応した条件を、上記の個人動的情報が満たす特典管理情報が有する特典情報である。また、ここでのカード識別情報と対応するユーザ識別情報を有する個人動的情報に対応する特典情報は、例えば、上記で取得したユーザ識別情報と特典情報との組のうちの、カード識別情報と対応するユーザ識別情報と一致するユーザ識別情報を有する組に含まれる特典情報であってもよい。
【００７０】
また、特典情報取得部１０５は、例えば、特典情報格納部１０２に格納されている特典管理情報であって、この特典管理情報が有する条件情報である店舗識別情報を用いて店舗位置管理情報から取得した店舗位置情報と、第三カード管理情報から取得した、個人動的情報が有するユーザ識別情報に対応付けられたユーザ位置情報とが予め指定された位置関係となる特典管理情報が有する特典情報を取得する。
【００７１】
また、特典情報取得部１０５は、例えば、特典情報格納部１０２に格納されている特典管理情報であって、特典管理情報が有する条件情報である期間種類情報が、個人動的情報が有する期間種類情報に対応する期間種類情報である特典管理情報が有する特典情報を取得する。
【００７２】
また、特典情報取得部１０５は、例えば、カード利用情報受付部１０４が受け付けたカード利用情報に含まれる店舗識別情報と対応する店舗識別情報と更に対応付けられた特典情報を取得するようにしてもよい。
【００７３】
また、特典情報取得部１０５は、例えば、カード利用情報受付部１０４が受け付けたカード利用情報に含まれる利用日時情報が示す日時を含む期間を示す期間情報と更に対応付けられた特典情報を取得するようにしてもよい。
【００７４】
ユーザ抽出手段１０５１は、個人動的情報取得部１００が取得した個人動的情報が有するユーザ識別情報と、特典情報格納部１０２に格納されている特典管理情報であって、この特典管理情報が有する条件情報に対応した条件を、個人動的情報取得部１００が取得した個人動的情報が満たす特典管理情報が有する特典情報との組を取得する。カード抽出部１０５は、例えば、個人動的情報取得部１０１が取得した一の個人動的情報が、特典情報格納部１０２に格納されている一の特典管理情報から取り出した１または２以上の条件情報が示す条件を満たすか否かを判断し、満たす場合に、この個人動的情報が有するユーザ識別情報と、この一の特典管理情報が有する１以上の特典情報との組を取得する。カード抽出部１０５は、この処理を、個人動的情報取得部１０１が取得した１以上の個人動的情報と、特典情報格納部１０２に格納されている１以上の特典管理情報との組合せについて行う。個人動的情報取得部１０１が取得した個人動的情報として、個人動的情報格納部１０１に格納されている１以上の個人動的情報を用いても良い。条件情報に対応した条件とは、例えば、条件情報または条件情報を用いて取得された情報を用いて取得された条件である。条件情報に対応した条件とは、例えば、条件情報または条件情報を用いて取得された情報を、条件の一部として含む条件である。
【００７５】
ここで利用する条件情報は、特典管理情報に格納されている条件情報のうちの一部の条件情報であっても良い。ここで利用する条件情報は、例えば、予め指定されている条件情報や、予め指定されているカテゴリーの条件情報である。例えば、ここでユーザ抽出手段１０５１が利用する条件情報は、期間種類情報や、店舗識別情報である。利用する条件情報が期間種類情報である場合、この期間種類情報に対応する条件とは、例えば、個人動的情報が有する期間種類情報が、この期間種類情報と対応する、という条件である。２つの期間種類情報が対応するということは、ここでは、例えば、期間種類情報が一致することである。但し、ここでの一致は、部分一致としても良い。期間種類情報と対応する期間種類情報と、一方の期間種類情報が、他方の期間種類情報の上位概念であることや、期間種類情報間の関係が包含関係にあることであっても良い。
【００７６】
例えば、条件情報として期間種類情報を用いる場合、ユーザ抽出手段１０５１は、例えば、個人動的情報取得部１００が取得した一の個人動的情報が有するユーザ識別情報と、特典情報格納部１０２に格納されている特典管理情報であって、この特典管理情報が有する条件情報である期間種類情報が、個人動的情報取得部１００が取得した個人動的情報が有する期間種類情報に対応する期間種類情報である特典管理情報が有する特典情報と、の組を取得する。
【００７７】
具体的には、カード抽出部１０５は、具体的には、個人動的情報取得部１０１が取得した一の個人動的情報が有する期間種類情報が、特典情報格納部１０２に格納されている一の特典管理情報から取り出した条件情報である期間種類情報に対応する期間種類情報であるか否かを判断し、対応する場合に、この個人動的情報が有するユーザ識別情報と、この一の特典管理情報が有する１以上の特典情報との組を取得する。
【００７８】
また、利用する条件情報が店舗識別情報である場合、この店舗識別情報に対応する条件とは、例えば、この店舗識別情報が示す店舗の位置が、個人動的情報が有するユーザ識別情報が示すユーザの位置に対して予め指定された位置関係にある、という条件である。店舗識別情報が示す店舗の位置とは、例えば、条件情報である店舗識別情報を用いて、店舗位置管理情報から検索等により取得した店舗位置情報が示す位置である。店舗位置管理情報とは、店舗識別情報と、この店舗識別情報が示す店舗位置情報とを有する１以上の情報である。店舗の位置を示す情報は、例えば、店舗の位置を示す座標や、店舗の住所や、店舗の属するエリアコード等である。店舗位置管理情報は、例えば、店舗位置管理情報格納部１０７に予め格納されている。ユーザの位置は、例えば、第三カード管理情報から、個人動的情報が有するユーザ識別情報を用いて検索等により取得されたユーザ位置情報が示す位置である。
【００７９】
例えば、条件情報として店舗識別情報を用いる場合、ユーザ抽出手段１０５１は、例えば、ユーザ抽出部１０２は、個人動的情報取得部１００が取得した個人動的情報が有するユーザ識別情報と、特典情報格納部１０２に格納されている特典管理情報であって、この特典管理情報が有する条件情報である店舗識別情報を用いて店舗位置管理情報から取得した店舗位置情報と、個人動的情報取得部１００が取得した個人動的情報が有するユーザ識別情報に対応付けられたユーザ位置情報とが予め指定された位置関係となる特典管理情報が有する特典情報との組を取得する。予め指定された位置関係にあるという条件は、例えば、店舗識別情報が示す店舗の位置を示す座標と、個人動的情報が有するユーザ識別情報が示すユーザの位置を示す座標との間の距離が予め指定された距離未満になるということや、店舗識別情報が示す店舗の位置を示す住所と、ユーザの位置を示す住所とが、同じ都道府県の住所であるということや、同じ市町村の住所であるという条件である。あるいは、店舗識別情報が示す店舗の位置を示す住所と、ユーザの位置を示す住所とが、隣り合った都道府県や、市町村を示すという条件である。あるいは、店舗識別情報が示す店舗の位置を示す住所と、ユーザの位置を示す住所とが、隣り合った都道府県や、市町村を示すという条件である。また、店舗およびユーザの位置を示す情報である郵便番号の上位三桁が一致するという条件等であっても良い。
【００８０】
具体的には、カード抽出部１０５は、具体的には、個人動的情報取得部１０１が取得した一の個人動的情報が有するユーザ識別情報と対応付けられたユーザ位置情報が、特典情報格納部１０２に格納されている一の特典管理情報から取り出した条件情報である店舗識別情報に対応する店舗位置情報に対して、予め指定された位置関係であるか否かを判断し、指定された位置関係である場合に、この個人動的情報が有するユーザ識別情報と、この一の特典管理情報が有する１以上の特典情報との組を取得する。
なお、特典管理情報が、条件情報として、期間種類情報と店舗識別情報との両方の条件を有する場合、ユーザ抽出手段１０５１は、上記の２つの処理を適宜組み合わせて、この２つの条件をともに満たすユーザ識別情報と特典情報との組を取得すればよい。
【００８１】
ユーザ抽出手段１０５１は、例えば、取得したユーザ識別情報と特典情報との組を、抽出特典情報として抽出特典格納部１１０等に蓄積する。
【００８２】
なお、ユーザ抽出手段１０５１は、更に、ユーザ抽出手段１０５１が取得する特典情報と対応付けられた店舗識別情報を取得してもよい。ユーザ抽出手段１０５１が取得する特典情報と対応付けられた店舗識別情報とは、具体的には、ユーザ抽出手段１０５１が取得する特典情報を有する特典管理情報に含まれる店舗識別情報である。この店舗識別情報は、条件情報である店舗識別情報であっても良い。ユーザ抽出手段１０５１は、例えば、取得したユーザ識別情報と特典情報と店舗識別情報との組を、抽出特典情報として抽出特典格納部１１０等に蓄積する。
【００８３】
また、ユーザ抽出手段１０５１は、更に、個人動的情報取得部１００が取得した個人動的情報に含まれる期間情報を取得しても良い。この期間情報は、具体的には、ユーザ抽出手段１０５１が取得するユーザ識別情報を有する個人動的情報に含まれる期間情報である。ユーザ抽出手段１０５１は、例えば、取得したユーザ識別情報と特典情報と期間情報との組、あるいは取得したユーザ識別情報と特典情報と店舗識別情報と期間情報との組を、抽出特典情報として抽出特典格納部１１０等に蓄積する。
【００８４】
なお、特典情報を取得できなかった場合、ユーザ抽出手段１０５１は、ユーザ識別情報を取得しなくてよい。なお、ユーザ識別情報と特典情報との組を取得できなかった場合、取得できなかったことを示す情報等を取得するようにしてもよい。
【００８５】
取得手段１０５２は、カード利用情報受付部１０４が受け付けたカード利用情報に含まれるカード識別情報と対応するユーザ識別情報を、第二カード管理情報格納部１０３２から取得する。そして、取得手段１０５２は、この取得したユーザ識別情報に対応する特典情報を、ユーザ抽出手段１０５１が取得したユーザ識別情報と特典情報との１または２以上の組から取得する。ユーザ抽出手段１０５１が取得したユーザ識別情報と特典情報とを有する情報を、後述する具体例等においては、抽出特典管理情報と呼ぶ場合がある。取得手段１０５２は、例えば、カード利用情報に含まれるカード識別情報と対応するユーザ識別情報を、第二カード管理情報格納部１０３２に格納されている第二カード管理情報から検索とにより取得する。また、取得手段１０５２は、この取得したユーザ識別情報に対応する特典情報を、例えば、ユーザ抽出手段１０５１が取得したユーザ識別情報と特典情報との１または２以上の組から検索等により取得する。
【００８６】
また、カード利用情報受付部１０４が店舗識別情報を更に有するカード利用情報を受け付け、ユーザ抽出手段１０５１が、ユーザ識別情報と特典情報との組に加えて、更に、この特典情報に対応する店舗識別情報を取得する場合、取得手段１０５２は、カード利用情報受付部１０４が受け付けたカード利用情報に含まれる店舗識別情報と対応する店舗識別情報と更に対応付けられた特典情報を取得するようにしてもよい。カード利用情報に含まれる店舗識別情報と対応する店舗識別情報とは、例えば、カード利用情報に含まれる店舗識別情報と一致する店舗識別情報である。ここでの一致は完全一致としても部分一致としても良い。また、一方の店舗識別情報が、他方の店舗識別情報と類似している場合や、上位概念となる場合に、店舗識別情報が対応すると判断しても良い。取得手段１０５２は、例えば、ユーザ抽出手段１０５１が取得した店舗識別情報とユーザ識別情報と特典情報との１以上の組の中に、カード利用情報に含まれる店舗識別情報とユーザ識別情報とに一致する店舗識別情報とユーザ識別情報とを有する組が検出された場合に、カード利用情報受付部１０４は、この検出された組に含まれる特典情報を取得する。
【００８７】
また、例えば、ユーザ抽出手段１０５１が特典情報に加えて更に期間情報を取得し、カード利用情報に利用日時情報が含まれる場合、取得手段１０５２は、カード利用情報受付部１０４が受け付けたカード利用情報に含まれる利用日時情報が示す日時を含む期間を示す期間情報と更に対応付けられた特典情報を、ユーザ抽出手段１０５１が取得し特典情報から取得するようにしてもよい。取得手段１０５２は、例えば、上記で取得したカード利用情報に含まれるカード識別情報と対応するユーザ識別情報に対応する特典情報であって、カード利用情報受付部１０４が受け付けたカード利用情報に含まれる利用日時情報が示す日時を含む期間を示す期間情報を有する期間情報と更に対応付けられた特典情報を、ユーザ抽出手段１０５１が取得した特典情報から取得するようにしてもよい。利用日時情報が示す日時を含む期間を示す期間情報とは、例えば、利用日時情報が示す日付を含む期間を示す期間情報である。これにより、決済カードを利用したユーザに対応する特典情報であって、決済カードが利用された日時を含む期間を示す期間情報と対応付けられた特典情報を取得することができる。
【００８８】
なお、例えば、個人動的情報取得部１００が取得する個人動的情報が、当日の期間に関する個人動的情報であり、ユーザ抽出手段１０５１が取得する特典情報とユーザ識別情報との組が、当日の期間に有効な特典情報とユーザ識別情報との組であり、カード利用情報受付部１０４が決済カードの利用された当日のカード利用情報を受け付ける場合には、上記のような利用日時情報や、期間情報を用いた処理は省略して良い。
【００８９】
店舗位置管理情報格納部１０７には、１または２以上の店舗位置管理情報が格納される。店舗位置管理情報は、店舗識別情報と、この店舗識別情報が示す店舗位置情報とを有する情報である。
【００９０】
出力部１０８は、特典情報取得部１０８が取得した特典情報を出力する。例えば、出力部１０８は、特典情報取得部１０８のユーザ抽出手段１０５１が取得した特典情報を出力する。また、例えば、出力部１０８は、特典情報取得部１０８の取得手段１０５２が取得した特典情報を出力する。
【００９１】
出力部１０８は、特典情報取得部１０８がユーザ識別情報と特典情報との１以上の組を取得した場合、この特典情報取得部１０８が取得したユーザ識別情報を用いて、第一カード管理情報から通知先情報を取得し、この通知先情報が示す通知先に、このユーザ識別情報に対応する特典情報を送信する。ユーザ識別情報に対応する特典情報とは、ユーザ識別情報と同じ組に属する特典情報である。
【００９２】
また、出力部１０８は、例えば、カード利用情報受付部１０４が受け付けたカード利用情報に含まれるカード識別情報と対応する決済カードの表示を変更する出力を行う。
【００９３】
ここでの出力とは、ディスプレイへの表示、プリンタへの印字、外部の装置への送信、記録媒体への蓄積、他の処理装置や他のプログラムなどへの処理結果や指示や命令等の引渡しなどを含む概念である。
【００９４】
出力部１０８は、例えば、特典情報を出力するための出力デバイスを含むと考えても含まないと考えても良い。出力部１０８は、例えば、出力デバイスのドライバーソフトまたは、出力デバイスのドライバーソフトと出力デバイス等で実現され得る。
【００９５】
通知手段１０８１は、ユーザ抽出手段１０５１が取得したユーザ識別情報を用いて、第一カード管理情報から、検索等により通知先情報を取得する。そして、通知手段１０８１は、この取得した通知先情報が示す通知先に、このユーザ識別情報に対応する特典情報を送信する。ユーザ識別情報に対応する特典情報とは、ユーザ抽出手段１０５１が取得した１以上のユーザ識別情報と特典情報との組のうちの、通知先情報を取得する際に用いたユーザ識別情報と同じユーザ識別情報を有する組に属する特典情報である。特典情報の通知とは、特典情報取得部１０５、具体的にはユーザ抽出手段１０５１が取得した特典情報を送信することであっても良い。また、特典情報を通知するということは、特典情報が取得できたことを通知することも含む概念と考えても良い。特典情報を通知することは、例えば、特典情報の概要を示す情報を通知することであってもよいし、特典情報の取得先を示すアドレス情報等の情報を通知することであってもよい。ここでの通知の手段は、問わない。例えば、通知は、特典情報や、特典情報の概要を示す情報等をメールやミニブログや、メッセージ、ファクシミリ等で送信することである。通知は、ソーシャルメディア等の投稿文やコメント等を送信する機能を用いて行ってもよい。通知手段１０８１は、例えば、通信手段等で実現可能である。
【００９６】
特典出力手段１０８２は、取得手段１０５２が取得した特典情報を出力する。特典情報の出力とは、例えば、特典情報が示す特典をカード利用情報受付部１０４が受け付けたカード利用情報に含まれるユーザ識別情報が示すユーザに提供することである。また、特典情報が示す特典をユーザに与えるための処理等を行うモジュール等への、特典情報が示す特典を実行する指示等の引き渡し等であってもよい。
【００９７】
例えば、特典情報が、購入代金の割引を行うことを指定する情報である場合、特典出力手段１０８２は、特典情報が示す割引率や金額分を、カード利用情報が示す購入代金から割引く処理を行う指示を、特典出力手段１０８２が、カード決済の処理を行うモジュールや図示しない処理部や装置等に出力しても良い。
【００９８】
また、例えば、特典情報が、購入した商品やサービスをアップグレードする指示である場合、特典出力手段１０８２は、購入した商品やサービスをアップグレードする処理を行う指示を、アップグレード処理を行うモジュールや図示しない処理部や装置等に出力しても良い。商品やサービスをアップグレードする処理は、例えば、カード決済が行われた店舗等に、決済カードで購入された商品やサービスをアップグレードする指示を送信することであってもよい。
【００９９】
また、例えば、特典情報が、ユーザのステイタスを一時的にアップグレードする指示である場合、特典出力手段１０８２は、ユーザのステイタスをアップグレードする処理を特典情報の出力として行う。例えば、特典出力手段１０８２は、第一カード管理情報格納部１０３１や第二カード管理情報格納部１０３２等に予め格納されている図示しないカード識別情報と、ユーザのステイタスとを対応付けて有する情報において、カード利用情報受付部１０４が受け付けたカード利用情報に含まれるカード識別情報と対応するステイタスを、現在よりも高いステイタスに変更する。あるいは、あるいは、このような処理を行う指示を、図示しない処理部や装置等に出力しても良い。
【０１００】
また、例えば、特典情報が、割引クーポンの送付を指定する情報である場合、特典出力手段１０８２は、カード決済を行った決済カードのユーザに、割引のクーポンを送付する処理を行う。例えば、特典出力手段１０８２は、メール等で割引のクーポンを特典情報の出力として送付する。なお、ユーザのメールアドレス等は、第二カード管理情報に予めカード識別情報と対応付けて格納しておくようにして、検索等による適宜取得するようにすればよい。あるいは、このような処理を行う指示を、図示しない処理部や装置等に出力しても良い。
【０１０１】
また、例えば、特典情報が、予め指定された値、あるいは比率のポイントをユーザに付与することを指示する情報である場合、特典出力手段１０８２は、カード決済を行った決済カードのユーザのポイントを格納する図示しない格納部に、予め指定された値、あるいは、購入金額に予め指定された比率を乗算した値のポイントを蓄積する処理を、特典情報の出力として行う。あるいは、このような処理を行う指示を、特典出力手段１０８２が、図示しない処理部や装置等に出力しても良い。
【０１０２】
また、例えば、特典情報が、おまけをユーザに与えることを指示する情報である場合、特典出力手段１０８２は、カード決済を行った決済カードのユーザに対して、特典情報により指定されたおまけ等のおまけを与える処理（例えば、送付する処理）を、特典情報の出力として行う。あるいは、このような処理を行う指示を、図示しない処理部や装置等に出力しても良い。
【０１０３】
また、特典出力手段１０８２は、カード利用情報受付部１０４が受け付けたカード利用情報に含まれるカード識別情報と対応する決済カードの表示を変更する出力を行うようにしても良い。ここでの表示の変更は、取得手段１０５２が取得した特典情報に応じた表示の変更である。表示の変更とは、例えば、決済カードの表面に特典情報に応じた情報を印刷することである。例えば、決済カードの表面や裏面等に、特典情報に応じた文字列やマーク等を印刷することである。例えば、特典情報が、ユーザのステイタスを変更する指示である場合、決済カードの表面に、変更後のステイタスを示す文字列や記号を印刷する。例えば、決済カードの表面に「ＶＩＰ」等の文字列を印刷する。また、決済カードが、モニタ等の表示デバイス（図示せず）を有している場合、この表示デバイスに出力される情報を、特典情報に応じた情報に変更させることである。
【０１０４】
表示を変更する出力とは、例えば、決済カードの表示を変更するよう決済カードの情報の読み出し等を行った後述する決済端末装置２等に指示を出力することであっても良いし、直接、情報処理装置１が出力を行うことであっても良い。例えば、携帯型の情報処理端末が、決済カードとしての機能を有している場合、この情報処理端末に、情報処理装置１が直接表示を変更する指示を出しても良い。
【０１０５】
なお、特典出力手段１０８２は、取得手段１０５２が一の個人動的情報について取得した特典情報については、この特典情報を最初に取得した場合にだけ、決済カードの表示を変更する出力を行うようにしても良い。また、個人動的情報が有する期間情報が示す期間の経過後は、表示を終了することが好ましい。例えば、表示を消去する指示等を決済端末装置２等に送信しても良い。例えば、プレート上の決済カードの表面に文字列等の情報を書き換え可能に表示する技術を用いることで、特典出力手段１０８２は、決済カードの表面または裏面に、特典情報に応じた表示を行うことが可能である。このような技術については、以下の文献等を参考にされたい（［非特許文献１］"カード解説｜書き換えの仕組み｜三和ニューテック"、［ｏｎｌｉｎｅ］、平成１０年４月１日、特許学会、［平成１２年１０月３１日検索］、インターネット＜ＵＲＬ：ｈｔｔｐ：／／ｗｗｗ．ｓａｎｗａ−ｎｅｗｔｅｃ．ｃｏ．ｊｐ／ｐｒｏｄｕｃｔｓ／ｔ＿ｃａｒｄ＿ｓｔｅｐ２．ｈｔｍｌ＞）。
【０１０６】
ここでの出力とは、ディスプレイへの表示、プリンタへの印字、外部の装置への送信、記録媒体への蓄積、他の処理装置や他のプログラムなどへの処理結果の引渡しなどを含む概念である。
【０１０７】
抽出特典格納部１１０には、１または２以上の抽出特典管理情報が格納される。抽出特典管理情報は、ユーザ識別情報と、１または２以上の特典情報とを有する情報である。抽出特典管理情報は、更に、１または２以上の期間情報を有していてもよい。また、抽出特典管理情報は、更に、１または２以上の店舗識別情報を有していても良い。抽出特典格納部１１０には、例えば、特典情報取得部１０５が取得した抽出特典管理情報が格納される。具体的には、抽出特典格納部１１０には、例えば、ユーザ抽出手段１０５１が取得した抽出特典管理情報が格納される。
【０１０８】
個人動的情報受付部３００は、個人動的情報を受け付ける。例えば、ユーザ等や企業の担当者等が入力デバイス等を介して入力した個人動的情報を受け付ける。個人動的情報受付部３００は、受け付けた個人動的情報を、例えば、サーバ個人動的情報格納部３０１に蓄積する。ここでの受け付けとは、キーボードやマウス、タッチパネルなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。
【０１０９】
個人動的情報受付部３００は、は、テンキーやキーボード等の入力手段のデバイスドライバーや、通信手段のデバイスドライバーや、メニュー画面の制御ソフトウェア等で実現され得る。
【０１１０】
サーバ個人動的情報格納部３０１には、個人動的情報が格納される。例えば、サーバ個人動的情報格納部３０１には、個人動的情報受付部３００が受け付けた個人動的情報が格納される。
【０１１１】
判断部３０２は、個人動的情報受付部３００が受け付けた個人動的情報が、予め指定された条件を満たすか否かを判断する。予め指定された条件は、例えば、個人動的情報に含まれるユーザ識別情報、期間情報、または期間種類情報のうちの少なくとも１以上に関する条件である。
【０１１２】
例えば、判断部３０２は、予め指定されたユーザ識別情報と一致するユーザ識別情報を含む個人動的情報だけを、条件を満たす個人動的情報と判断しても良い。例えば、予め指定されたユーザ識別情報を、正社員のユーザ識別情報とすることで、正社員のユーザ識別情報を含む個人動的情報だけを条件を満たす個人動的情報と判断することができる。なお、予め指定されたユーザ識別情報と一致するユーザ識別情報を含まない個人動的情報だけを、条件を満たす個人動的情報と判断しても良い。
【０１１３】
また、例えば、判断部３０２は、予め指定された期間情報と一致する期間情報を含まない個人動的情報だけを、条件を満たす個人動的情報と判断しても良い。例えば、予め指定された期間情報を、企業の休日を示す情報とすることで、休日を示す期間情報を含まない個人動的情報だけを条件を満たす個人動的情報と判断することができる。なお、予め指定された期間情報と一致する期間情報を含む個人動的情報だけを、条件を満たす個人動的情報と判断しても良い。
【０１１４】
また、例えば、判断部３０２は、予め指定された期間種類情報と一致する期間種類情報を含まない個人動的情報だけを、条件を満たす個人動的情報と判断しても良い。例えば、予め指定された期間種類情報を、「振替出勤」とすることで、「振替出勤」を示す期間種類情報を含まない個人動的情報だけを条件を満たす個人動的情報と判断することができる。なお、予め指定された期間種類情報と一致する期間種類情報を含む個人動的情報だけを、条件を満たす個人動的情報と判断しても良い。
【０１１５】
予め指定された条件は、例えば、図示しない記憶媒体等に格納されていても良いし、判断部３０２自体が条件を有していても良い。予め指定された条件は、判断部３０２が行う判断処理のアルゴリズム等に組み込まれていても良い。
【０１１６】
送信部３０３は、判断部３０２が上述した個人動的情報が条件を満たすと判断した場合に、個人動的情報受付部３００が受け付けた個人動的情報を情報処理装置１に送信する。送信部３０３は、無線や有線の通信手段や、そのドライバ等により実現される。
【０１１７】
次に、情報処理装置１の動作の一例について図２のフローチャートを用いて説明する。ここでは、図示しないサーバ等から個人動的情報を受信する場合を例に挙げて説明する。
【０１１８】
（ステップＳ１０１）個人動的情報取得部１００は、個人動的情報を取得したか否かを判断する。ここでは、一例として、個人動的情報取得部１００は、一度に一つの個人動的情報を取得するものである場合について説明する。取得した場合、ステップＳ１０２に進み、取得していない場合、ステップＳ２０３に進む。
【０１１９】
（ステップＳ１０２）個人動的情報取得部１００は、ステップＳ１０１で取得した個人動的情報を個人動的情報格納部１０１に蓄積する。
【０１２０】
（ステップＳ１０３）ユーザ抽出手段１０５１は、カウンターｎの値に１を代入する。
【０１２１】
（ステップＳ１０４）ユーザ抽出手段１０５１は、ｎ番目の特典管理情報が、特典情報格納部１０２に格納されているか否かを判断する。格納されている場合、ステップＳ１０５に進み、格納されていない場合、ステップＳ１０９に進む。
【０１２２】
（ステップＳ１０５）ユーザ抽出手段１０５１は、ｎ番目の特典管理情報に含まれる条件情報を読み出し、この条件情報に対応する条件を、ステップＳ１０１で受け付けた個人動的情報が満たすか否かを判断する。満たす場合、ステップＳ１０６に進み、満たさない場合、ステップＳ１０８に進む。
【０１２３】
（ステップＳ１０６）ユーザ抽出手段１０５１は、ステップＳ１０１で受け付けた個人動的情報に含まれるユーザ識別情報と、ｎ番目の特典管理情報に含まれる特典情報との組を取得する。
【０１２４】
（ステップＳ１０７）ユーザ抽出手段１０５１は、ステップＳ１０６で取得した特典情報を、ステップＳ１０６で取得したユーザ識別情報と対応付けて、抽出特典格納部１１０に蓄積する。
【０１２５】
（ステップＳ１０８）ユーザ抽出手段１０５１は、カウンターｎの値を１インクリメントする。そして、ステップＳ１０４に戻る。
【０１２６】
（ステップＳ１０９）通知手段１０８１は、ステップＳ１０６で取得したユーザ識別情報に対応する通知先情報を、第一カード管理情報から、検索等により取得する。
【０１２７】
（ステップＳ１１０）通知手段１０８１は、ステップＳ１０１で受け付けた個人動的情報に含まれるユーザ識別情報と対応付けてステップＳ１０７で蓄積された１以上の特典情報を、ステップＳ１０９で取得した通知先情報が示す通知先に通知する。そして、ステップＳ１０１に戻る。
【０１２８】
（ステップＳ１１１）カード利用情報受付部１０４は、カード利用情報を受け付けたか否かを判断する。受け付けた場合、ステップＳ１０４に進み、受け付けていない場合、ステップＳ１０１に戻る。
【０１２９】
（ステップＳ１１２）取得手段１０５２は、ステップＳ１０３で受け付けたカード利用情報に含まれるカード識別情報を用いて、このカード識別情報に対応するユーザ識別情報を第二カード管理情報から取得する。
【０１３０】
（ステップＳ１１３）取得手段１０５２は、ステップＳ１０４で取得したユーザ識別情報、ステップＳ１０３で受け付けたカード利用情報に含まれる利用日時情報、及びステップＳ１０３で受け付けたカード利用情報に含まれる店舗識別情報に対応する特典情報を、個人動的情報格納部１０１に格納されている個人動的情報から検出する処理を行う。
【０１３１】
（ステップＳ１１４）取得手段１０５２は、特典情報を取得できたか否かを判断する。取得できた場合、ステップＳ１１５に進み、取得できなかった場合、ステップＳ１０１に戻る。
【０１３２】
（ステップＳ１１５）特典出力手段１０８２は、ステップＳ２０９で取得した特典情報を出力する。そして、ステップＳ１０１に戻る。
【０１３３】
なお、図２のフローチャートにおいて、電源オフや処理終了の割り込みにより処理は終了する。
【０１３４】
図３は、本実施の形態のサーバ装置３の動作の一例を説明するためのフローチャートである。
【０１３５】
（ステップＳ２０１）個人動的情報受付部３００は、個人動的情報を受け付けたか否かを判断する。受け付けた場合、ステップＳ２０２に進み、受け付けていない場合、ステップＳ２０１に戻る。
【０１３６】
（ステップＳ２０２）個人動的情報受付部３００は、ステップＳ２０１で受け付けた個人動的情報を、サーバ個人動的情報格納部３０１に蓄積する。
【０１３７】
（ステップＳ２０３）判断部３０２は、ステップＳ２０１で受け付けた個人動的情報が予め指定された条件を満たすか否かを判断する。満たす場合、ステップＳ２０４に進み、満たさない場合、ステップＳ２０１に戻る。
【０１３８】
（ステップＳ２０４）送信部３０３は、ステップＳ２０１で受け付けた個人動的情報を情報処理装置１に送信する。そして、ステップＳ２０１に戻る。
【０１３９】
なお、図３のフローチャートにおいて、電源オフや処理終了の割り込みにより処理は終了する。
【０１４０】
（具体例１）
以下、本実施の形態における情報処理装置１およびサーバ装置３の具体例１について説明する。
【０１４１】
図４は、本実施の形態の具体例1にかかる情報処理装置１を備えた情報処理システム１０００の一例を示す概念図である。情報処理システム１０００は、情報処理装置１と、複数の決済端末装置２と、複数のサーバ装置３を備えている。複数の決済端末装置２を、ここでは決済端末装置２ａ〜２ｃとして表している。また、複数のサーバ装置３を、ここでは、サーバ装置３ａ〜３ｃとして表している。情報処理装置１と、１以上の決済端末装置２ａ〜２ｃと、１以上のサーバ装置３ａ〜３ｃとは、インターネット等のネットワークや通信回線等を介して相互に通信可能に接続されているものとする。なお、図においては、情報処理システム１０００が、複数の決済端末装置２ａ〜２ｃと、複数のサーバ装置３ａ〜３ｃとを備えている場合について説明しているが、本発明においては、これらはそれぞれ１以上であればよい。決済端末装置２は、決済カードを用いた決済を行うための端末装置であり、決済カードを用いた決済が可能な複数の店舗にそれぞれ設置されているものとする。決済端末装置２は、例えば、カードリーダ（図示せず）等を備えている。サーバ装置３は、決済カードを利用するユーザが勤務する各企業に設置されているサーバ装置であり、ユーザの休暇情報を管理するサーバ装置であるとする。また、決済カード５は、決済端末装置２で決済が可能なクレジットカードであるとする。なお、決済端末装置２は、通常の決済カードを用いた決済を行う端末装置と同様の構成であるため、ここでは詳細な説明は省略する。また、サーバ装置３ａ〜３ｃは、後述するように、少なくとも入力された休暇情報を情報処理装置１に送信することが可能な装置であればよく、このような構成については公知の技術であるので、ここでは詳細な説明は省略する。
【０１４２】
また、この具体例１および以下の具体例２においては、第一カード管理情報と、第二カード管理情報と、第三カード管理情報とを、同じユーザ識別情報で対応付けて一つにした管理情報を、便宜上用いる場合について説明する。この管理情報をここでは、カード管理情報と呼ぶ。このカード管理情報は、ここでは、図示しない一の格納部に格納されているものとする。この図示しない格納部を、ここではカード管理情報格納部と呼ぶ。
【０１４３】
例えば、ユーザ識別情報が「Ａ００１」であるユーザが、人間ドックに入るために、勤務先の企業である「企業Ａ」に「１１月２２日」付けの有給休暇の届けを提出し、その届けが受理されたとする。「企業Ａ」の社員の勤怠情報等を管理する管理者（図示せず）は、「企業Ａ」に設置されているサーバ装置３ａに休暇情報を登録する。登録した休暇情報は、ユーザ識別情報「Ａ００１」と、期間情報「２０１２年１１月２２日」と、期間種類情報「人間ドック休暇」とを有する情報であるとする。サーバ装置３ａの個人動的情報受付部３００は、管理者により入力された休暇情報を、個人動的情報として受け付け、サーバ個人動的情報格納部３０１に蓄積する。
【０１４４】
判断部３０２は、個人動的情報受付部３００が受け付けた個人動的情報が予め指定された条件を満たすか否かを判断する。予め指定された条件は、ここでは、期間種類情報が、「振替出勤」以外である、という条件であるとする。この条件は、例えば、判断部３０２に予め設定されている条件であるとする。なお、ここでは、条件を自然言語で示しているが、この条件は、例えば条件式等であっても良い。
【０１４５】
個人動的情報受付部３００が受け付けた個人動的情報の期間種類情報は「人間ドック休暇」であり、「振替出勤」とは異なるため、判断部３０２は、個人動的情報が条件を満たすと判断する。
【０１４６】
サーバ装置３ａの送信部３０３は、個人動的情報受付部３００が受け付けた個人動的情報（ここでは、休暇情報）を、情報処理装置１に送信する。
【０１４７】
情報処理装置１の個人動的情報取得部１００は、サーバ装置３ａから送信される個人動的情報を受信し、受信した個人動的情報を個人動的情報格納部１０１に蓄積する。受信した個人動的情報は、ユーザ識別情報「Ａ００１」と、期間情報「２０１２年１１月２２日」と、期間種類情報「人間ドック休暇」とを有する情報であるとする。
【０１４８】
図５は、個人動的情報格納部１０１に格納されている個人動的情報を管理する個人動的情報管理情報を示す図である。個人動的情報管理情報は、個人動的管理情報のレコード（ここでは各行）を管理する識別情報である「ＩＤ」と、ユーザ識別情報を示す「ユーザＩＤ」と、期間情報を示す「期間」と、期間種類情報を示す「種類」という項目を有している。例えば、「種類」が「人間ドック休暇」は、人間ドックのための休暇を意味する。また、「種類」が「一般」は目的等が指定されていない休暇を意味する。「種類」が「育児休暇」は、育児休暇を示す。例えば、ここでは、個人動的情報の蓄積により、「ＩＤ」が「１０２７」のレコードが追記されたとする。
【０１４９】
図１４は、店舗位置管理情報格納部１０２に格納されている店舗位置管理情報を示す図である。店舗位置管理情報は、店舗識別情報である「店舗ＩＤ」と、店舗の位置情報である住所を示す「住所」という属性を有している。
【０１５０】
図７は、特典情報格納部に予め格納されている特典情報を管理する特典管理情報である。特典管理情報は、「ＩＤ」と、「期間種類」と、「店舗ＩＤ」と、「特典」という項目を有している。「ＩＤ」は、特典管理情報のレコード（ここでは行）を管理する識別情報である。「期間種類」は、期間種類情報である。「期間種類」の値「一般」は、全ての期間種類情報を指定する値であるとする。「店舗ＩＤ」は、店舗識別情報である。「店舗ＩＤ」の値「指定なし」は、全ての店舗を指定する値であるとする。「店舗名」は、店舗名である。「特典」は特典情報である。例えば、「当日だけステイタスを１ランクアップ」という特典情報は、ユーザの決済カードに対応付けられているステイタス情報を、決済カードが利用された当日だけ、現状よりも１つ高い位のステイタスを示す値に変更する特典を示す。また、例えば、「購入代金をｎ％オフ」（ただし、ｎは１００以下の正の数）という特典情報は、ユーザの決済カードで購入した購入代金をｎ％割り引いて決済を行う特典を示す。「転居商品の割引クーポンを送付」という特典情報は、ユーザにメール等の予め指定された送信手段により、予め指定された転居商品の割引クーポンを送付する特典を示す。予め指定された転居商品は、例えば、転居先等で有用であると考えられる１以上の商品である。また、「送料無料」は、決済カードで購入した商品を送付する場合に、送料を無料にする特典を示す。なお、ここでは、特典情報を自然言語で示しているが、この特典情報は、例えば、これらの自然言語に相当する一以上の関数や、メソッド名や、「ｉｆ」、「ｔｈｅｎ」等で示される制御構文等で構成されていてもよい。また、特典情報は、これらの自然言語に対応する判断処理等を行うためのアルゴリズムであっても良い。
【０１５１】
図６は、図示しないカード管理情報格納部に格納されているカード管理情報を示す図である。このカード管理情報は、上述した第一カード管理情報、第二カード管理情報、および第三カード管理情報に相当する情報である。また、このカード管理情報が格納される図示しないカード管理情報格納部は、第一カード管理情報１０３１、第二カード管理情報１０３２、第三カード管理情報１０３３に相当する。カード管理情報は、第一カード管理情報のレコード（ここでは行）を管理する識別情報である「ＩＤ」と、カード識別情報である「カード番号」と、ユーザ識別情報である「ユーザＩＤ」と、決済カードのステイタスである「ステイタス」と、ユーザのメールアドレスである「メール」いう項目を有している。「ユーザＩＤ」は、図５の「ユーザＩＤ」に対応しているものとする。「ステイタス」は、決済カードを利用するユーザのステイタスを示すステイタス情報である。ステイタス情報は、決済カードを利用するユーザが、予め指定された店舗やカード会社等から受けることができる特典のレベルと対応付けられており、ユーザは、ステイタスに応じた特典を受けることができる。ここでの特典は、情報処理装置１が出力する特典と同様のものである。「ステイタス」は、「シルバー」、「ゴールド」、「プラチナ」、「ダイヤモンド」の順に位が高いことを示すものとする。カード管理情報は、例えば、決済カードの申請時等に蓄積される情報である。「住所」は、ユーザ位置情報であり、ここでは、ユーザの住所であるとする。
【０１５２】
ユーザ抽出手段１０５１は、個人動的情報取得部１００が取得した個人動的情報について、ユーザ識別情報と特典情報との組を取得する処理を以下のように行う。
【０１５３】
まず、ユーザ抽出手段１０５１は、図７に示した特典管理情報の一番上のレコードの「期間種類」の値「一般」を読み出す。この「期間種類」の値は、一番上のレコードの特典情報に対応する条件情報である。そして、この「期間種類」の値に対応する条件を取得する。ここでは、「期間種類」の値に対応する条件として、「個人動的情報に含まれる期間種類情報が、「期間種類」の値に一致する」という条件を取得することが、予め指定されているとする。この場合、一番上のレコードの値「一般」から、「個人動的情報に含まれる期間種類情報が、「一般」に一致する」という条件を取得する。ただし、ここでの「一般」は、全ての値を指すため、この条件は、個人動的情報に何らかの期間種類情報が含まれることを示す条件となる。
【０１５４】
次に、ユーザ抽出手段１０５１は、上記で取得した個人動的情報に含まれる期間種類情報が、上記で取得した条件を満たすか否かを判断する。ここでは、個人動的情報取得部１００が、上述したように「人間ドック休暇」という期間種類情報を有する個人動的情報を取得しているための、上記で取得した条件を満たすと判断する。
【０１５５】
更に、ここでは、ユーザ抽出手段１０５１は、図７に示した特典管理情報の一番上のレコードの「店舗ＩＤ」の値が空欄であるか否かを判断する。空欄でなければ、店舗の位置に対応する条件を満たすか否かの判断処理を行うが、ここでは、空欄であるため、この判断処理を行わないと判断する。
【０１５６】
ユーザ抽出手段１０５１は、上記で期間種類情報に対応した条件を満たすと判断したため、図７に示した特典管理情報の一番上の特典管理情報の「特典」の値である特典情報「当日だけステータスを１ランクアップ」と、個人動的情報取得部１００が取得した個人動的情報に含まれるユーザ識別情報「Ａ００１」との組を取得する。また、特典情報に対応する店舗識別情報も取得するが、ここでは、店舗識別情報が空欄であるため、取得しない。また、ユーザ抽出手段１０５１は、個人動的情報の期間情報である「２０１２年１１月２２日」を取得する。そして、取得した特典情報とユーザ識別情報と期間情報との組を、抽出特典格納部１１０に蓄積する。
【０１５７】
次に、ユーザ抽出手段１０５１は、図７に示した特典管理情報の上から２番目のレコードの「期間種類」の値「育児休暇」を読み出す。そしてこの「期間種類」の値に対応する条件である「個人動的情報に含まれる期間種類情報が、「育児休暇」の値に一致する」という条件を取得する。そして、ユーザ抽出手段１０５１は、上記で取得した個人動的情報に含まれる期間種類情報が、上記で取得した条件を満たすか否かを判断する。ここでは、個人動的情報取得部１００が、上述したように「人間ドック休暇」という期間種類情報を有する個人動的情報を取得しているための、上記で取得した条件を満たさないと判断する。
【０１５８】
そして、同様の処理を、特典管理情報の上から二番目以降のレコードについても行う。
【０１５９】
ここで、特典管理情報の上から９５４番目のレコードの処理について説明する。９５４番目のレコードの「期間種類」は「人間ドック休暇」であるため、この期間種類情報に対応する条件は、「個人動的情報に含まれる期間種類情報が、「人間ドック休暇」の値に一致する」という条件を取得する。そして、ユーザ抽出手段１０５１は、上記で取得した個人動的情報に含まれる期間種類情報が、上記で取得した条件を満たすか否かを判断する。ここでは、個人動的情報取得部１００が、上述したように「人間ドック休暇」という期間種類情報を有する個人動的情報を取得しているための、上記で取得した条件を満たすと判断する。
【０１６０】
更に、ここでは、ユーザ抽出手段１０５１は、図７に示した特典管理情報の上から９５４番目のレコードの「店舗ＩＤ」の値が空欄であるか否かを判断する。空欄は、値がＮｕｌｌであることと考えてもよい。空欄でないため、ユーザ抽出手段１０５１は、店舗の位置に対応する条件を満たすか否かの判断処理を行う。まず、ユーザ抽出手段１０５１は、上記で取得した個人動的情報に含まれるユーザ識別情報「Ａ００１」に対応する「住所」の値「東京都渋谷区…」を、図６に示したカード管理情報から検索により取得する。また、ユーザ抽出手段１０５１は、図７に示した特典管理情報の９５４番目のレコードの「店舗ＩＤ」の値「Ｒ３００２」を取得し、この値「３００２」と一致する「店舗ＩＤ」を有するレコードを、図１４に示した特典情報管理情報から検出し、検出したレコードに含まれる「住所」の値を取得する。取得した住所の値が「東京都渋谷区…」であったとする。ユーザ抽出手段１０５１は、特典管理情報が有する条件情報である店舗識別情報を用いて店舗位置管理情報から取得した店舗位置情報「東京都渋谷区…」と、個人動的情報が有するユーザ識別情報に対応付けられたユーザ位置情報である「東京都渋谷区…」とが予め指定された位置関係となるか否かを判断する。ここでは、予め指定された位置関係が、「住所」の「区」の値、即ち区名が一致するという条件であるとすると、ここでは、両者の区名が「渋谷区」であり、一致するため、条件を満たすと判断する。このため、ユーザ抽出手段１０５１は、個人動的情報が有するユーザ識別情報である「Ｒ００１」と、特典管理情報の９５４番目のレコードの特典情報である「購入代金を５０％オフ」という特典情報との組を取得する。また、ここでは、この特典管理情報の９５４番目のレコードの「店舗ＩＤ」の値、即ち店舗識別情報の値である「Ｒ３００２」も取得する。また、ユーザ抽出手段１０５１は、個人動的情報の期間情報である「２０１２年１１月２２日」を取得する。そして、取得した特典情報とユーザ識別情報と店舗識別情報と期間情報との組を抽出特典格納部１１０に蓄積する。
【０１６１】
そして、特典管理情報の全てのレコードについて上記の処理が完了したとする。
【０１６２】
図１５は、抽出特典格納部１１０に格納されたユーザ識別情報と特典情報と店舗識別情報を管理する抽出特典管理情報である。抽出特典管理情報は、抽出した情報の組を管理する識別情報である「ＩＤ」と、ユーザ識別情報である「ユーザＩＤ」と、店舗識別情報である「店舗ＩＤ」と、期間情報である「期間」と、特典情報である「特典情報」とを有する。
【０１６３】
通知手段１０８１は、ユーザ抽出手段１０５１が抽出したユーザ識別情報が示すユーザに登録情報を通知する。ここでは、上記で個人動的情報受付部３００が受け付けた個人動的情報についてユーザ識別情報と特典情報と店舗識別情報と期間情報との１以上の組が取得できた場合に、この１以上の組に含まれる特典情報と、店舗識別情報と、期間情報との組を、これらの組に含まれるユーザ識別情報が示すユーザに通知する。期間情報は、特典が利用可能な期間を示す情報となる。通知手段１０８１は、具体的には、ユーザ識別情報「Ａ００１」に対応する通知先情報であるメールアドレス「Ａ００１＠ａｂｃ…」を、図６に示したカード管理情報から検索により取得する。そして、このメールアドレスに、上記でユーザ抽出手段１０５１が取得したユーザ識別情報「Ａ００１」を有するユーザ識別情報と特典情報と店舗識別情報と期間情報との組に含まれる特典情報と店舗識別情報と期間情報との組を、電子メールにより送信する。ここでは、図１５に示した抽出特典管理情報の、「ユーザＩＤ」が「Ａ００１」であるレコード（ここでは、行）の「店舗ＩＤ」と「特典」と「期間」との値の１以上の組を含む電子メールを送信する。なお、ここでは、店舗識別情報が、店舗のコードであるため、通知先のユーザが理解できるよう、通知手段１０８１は、この店舗識別情報を図７に示した特典管理情報を用いて、店舗名に変更して通知する。具体的には、「店舗ＩＤ」の値が一致するレコードを特典管理情報のレコード（行）から検索し、検出したレコードの「店舗名」の値で、店舗識別情報を置き換えて送信する。なお、「店舗ＩＤ」の値が空欄である場合には、「全店舗」という値に置き換える。なお、値が空欄とは値が「Ｎｕｌｌ」であることと考えても良い。このように、一の識別情報を、この識別情報に対応する他の識別情報に置き換えて送信することも、ここでは一の識別情報を実質的に送信することであると考える。特典情報等は、例えば、予め図示しない格納部等に格納されているテンプレート等に配置されて送信される。
【０１６４】
なお、特典情報に、店舗名等の店舗識別情報が含まれている場合、店舗識別情報は通知しなくても良い。
【０１６５】
図１６は、通知手段１０８１が送信した特典情報を含む電子メールの表示例を示す図である。この図のような電子メールが、ユーザ識別情報が「Ａ００１」であるユーザに送信される。ユーザは、このメールを読むことで、どのような特典情報がどのような期間にどのような店舗で利用可能であるかを認識することができる。また、この特典情報を印刷して、店舗で提示したり、この特典情報を図示しない携帯情報端末等で表示させて提示ことにより、クーポン券等として利用することも可能である。
【０１６６】
ここで、１１月２２日に、ユーザ識別情報が「Ａ００１」であるユーザが、会社を休んで人間ドックにいき、その帰りに、飲食店で食事を食べたとする。そして、その支払を、決済カード５で行ったとする。この飲食店には決済端末装置２ａが設置されているものとする。決済カード５で決済を行うと、決済端末装置２ａは、決済カード５のカード識別情報であるカード番号「４９８０…１００１」を読み取り、このカード番号と、食事の購入代金（即ち飲食代金）である「１２００円」と、利用日時情報「２０１２年１１月２２日１４時１５分」と、この飲食店の店舗識別情報である「Ｒ３００２」とを有するカード利用情報を、ネットワーク等を介して情報処理装置１に送信する。利用日時情報は、例えば、図示しない時計等から取得する。店舗識別情報は、例えば、決済端末装置２ａ内の図示しない格納部等に予め格納されているものを読み出したとする。
【０１６７】
情報処理装置１のカード利用情報受付部１０４は、上記のようなカード利用情報を決済端末装置２ａから受信する。カード利用情報受付部１０４は、受信したカード利用情報を、図示しないメモリ等に一時記憶する。
【０１６８】
取得手段１０５２は、カード利用情報受付部１０４が上記で受け付けたカード利用情報から、カード番号「４９８０…１００１」を取得し、「カード番号」の値がこのカード番号と一致するカード管理情報のレコードを、図６に示したカード管理情報の中から検索し、検出したレコードのユーザＩＤである「Ａ００１」を取得する。
【０１６９】
取得手段１０５２は、取得した「ユーザＩＤ」である「Ａ００１」と、上記で受信して一時記憶したカード利用情報に含まれる利用日時情報「２０１２年１１月２２日１４時１５分」と「店舗ＩＤ」である「Ｒ３００２」とに対応する特典情報を、図１５に示した抽出特典管理情報から検索により取得する。具体的には、図１５に示した個人動的情報管理情報において、「ユーザＩＤ」の値が上記で取得したユーザＩＤ「Ａ００１」と一致し、「期間」の値が、利用日時情報「２０１２年１１月２２日１４時１５分」を含む期間を示し、「店舗ＩＤ」が「Ｒ３００２」であるレコードを検索する。なお、「店舗ＩＤ」が空欄である抽出特典管理情報のレコードは、「店舗ＩＤ」が全ての店舗識別情報であるレコードとして扱うものとする。ここでは、「ＩＤ」が「１０００１」であるレコードと、「１０００２」であるレコードが検出されたとする。取得手段１０５２は、これらのレコードに含まれる「特典情報」である「当日だけステータスを１ランクアップ」と「購入代金を５０％オフ」とを取得する。
【０１７０】
特典出力手段１０８２は、取得手段１０５２が取得した２つの特典情報を出力する。特典出力手段１０８２は、具体的には、特典出力手段１０８２は、ステイタスを変更する処理を行うモジュールに、図６に示したカード管理情報の、カード利用情報が有するカード識別情報「４９８０…１００１」に対応する「ステイタス」の値「シルバー」を１ランクアップした値である「ゴールド」に変更する指示を引き渡す。この指示を受け付けたモジュールは、この指示に従って「ステイタス」の値を変更する。これにより、ユーザは、予め指定された店舗で、「ゴールド」ステイタスに対応した特典等を受けることが可能となる。なお、当日、即ち「２０１２年１１月２２日」をすぎた時点で、特典出力手段１０８２は、変更した「ステイタス」の値を元に戻す指示をモジュールに与えるものとする。また、特典出力手段１０８２は、カード利用情報の送信元である決済端末装置２ａに、カード番号「４９８０…１００１」の決済カード５の表面の、書き換え可能な印刷面に、変更前のステイタスを示す文字列「シルバー」を削除して、変更後のステイタスを示す文字列「ゴールド」を表示する指示、具体的には印刷する指示を送信する。
【０１７１】
この指示を受け付けた決済端末装置２ａは、図示しないカードリーダ等に設けられた図示しないプリンタ等を用いて、決済カード５の表面に、「ゴールド」という文字を印刷する。
【０１７２】
図１７は、表示が変更された決済カード５の表面を示す図である。元々は「シルバー」という文字列が表示されていた領域１８０の表示が、「ゴールド」という文字列の表示に変更されている。一部の店舗においては、このような文字列が表示された決済カード５を提示するだけで、ユーザは、例えば、ステイタスがゴールドであるユーザに対応した特典を受けることが可能となる。
【０１７３】
また、特典出力手段１０８２は、カード利用情報に含まれる購入代金「１２００円」を５０％オフした購入代金「６００円」で決済を行う指示をモジュール等に引き渡す。例えば、情報処理装置１が決済を行うモジュールを有している場合、特典出力手段１０８２は、このモジュールに購入代金「６００円」で決済を行うよう指示するようにすればよい。また、他の決済を行う装置（図示せず）が決済を行う場合、特典出力手段１０８２は、この装置に購入代金「６００円」で決済を行うよう指示するようにすればよい。なお、上述したようなモジュール等は、例えば、図示しない処理部等が実行するようにすればよい。
【０１７４】
ここで、仮に、上記のユーザ識別情報が「Ａ００１」であるユーザが、同日に店舗識別情報が「Ｒ２１０４」であるベビー用品店で、決済カード５を用いて商品を購入したとする。そして、カード利用情報受付部１０４が、購入した店舗の決済端末装置２から送信された店舗識別情報が「Ｒ２１０４」で、利用日時情報が、「２０１２年１１月２２日１６時３０分」であるカード利用情報を受け付けたとする。この場合、取得手段１０５２は、「ユーザＩＤ」の値がユーザＩＤ「Ａ００１」と一致し、「期間」の値が、利用日時情報「２０１２年１１月２２日」であり、「店舗ＩＤ」の値が「Ｒ２１０４」または空欄であるレコードを、図１５に示した抽出特典管理情報のレコードの中から検索する。この場合、上記の場合と異なり、「ＩＤ」が「１」であるレコードしか検出されない。このため、特典出力手段１０８２は、ユーザのステイタスを変更する指示等しか引き渡さず、購入した商品の割引の指示は出力しない。
【０１７５】
このように、この具体例においては、決済カードを利用したユーザに対して、ユーザの個人動的情報に応じた特典を与えることができる。
【０１７６】
（具体例２）
以下、本実施の形態の具体例２について説明する。この具体例２は、上記の具体例１において、個人動的情報取得部１００が、複数のサーバ装置をクローリングして個人動的情報を取得するようにしたものである。
【０１７７】
図８は、情報処理装置１を備えた情報処理システム１００１の概念図である。情報処理システム１００１は、情報処理装置１と、複数の決済端末装置２と、複数のサーバ装置４とを備えている。複数の決済端末装置２を、ここでは決済端末装置２ａ〜２ｃとして表している。また、複数のサーバ装置４を、ここでは、サーバ装置４ａ〜４ｃとして表している。情報処理装置１と、１以上の決済端末装置２ａ〜２ｃと、１以上のサーバ装置４ａ〜４ｃとは、インターネット等のネットワークや通信回線等を介して相互に通信可能に接続されているものとする。なお、図においては、情報処理システム１００１が、複数の決済端末装置２ａ〜２ｃと、複数のサーバ装置４ａ〜４ｃとを備えている場合について説明しているが、本発明においては、これらはそれぞれ１以上であればよい。
【０１７８】
決済端末装置２は、決済カード５を用いた決済を行うための端末装置であり、決済カード５を用いた決済が可能な複数の店舗にそれぞれ設置されているものとする。ここでは一例として、決済カード５がクレジットカードであるとする。
【０１７９】
サーバ装置４は、当該サーバ装置４内に格納されている情報を出力するサーバ装置である。サーバ装置４は、例えば、上述したサーバ装置３のような会社勤怠情報を管理するサーバ装置や、個人の予定等を管理したり公開したりするサーバ装置や、個人の予定等を含むカレンダーを管理したり公開したりするサーバ装置である。サーバ装置は、例えば、個人のスケジュールの管理や、カレンダーの管理を行うＷＥＢサーバ装置等であっても良い。なお、この具体例においては、一例として、各サーバ装置４は、ＷＥＢページを出力するＷＥＢサーバ装置であるとする。ＷＥＢサーバ装置４の構成については公知技術であるので、ここでは詳細な説明は省略する。
【０１８０】
例えば、個人動的情報取得部１００は、サーバ装置４ａ〜４ｃをクローリングしてＷＥＢページを順次取得する。例えば、個人動的情報取得部１００は、予め指定されたアドレスに、ＷＥＢページを要求する情報を送信したり、このアドレスが示すＷＥＢページに設定されたリンク情報をたどったりすること等により、ＷＥＢページを順次取得する。個人動的情報取得部１００が取得するＷＥＢページは、例えばＨＴＭＬファイルである。
【０１８１】
個人動的情報取得部１００は、例えば、一のＷＥＢページ情報を取得すると、このＷＥＢページに含まれる個人動的情報を取得する。なお、個人動的情報取得部１００がクローリングするＷＥＢページ等は、予め指定されたＷＥＢページのみであっても良い。また、予め指定されたＷＥＢサーバ装置が提供するＷＥＢページのみであっても良い。
【０１８２】
例えば、サーバ装置４ａが、１以上のユーザのスケジュールを管理するＷＥＢページを出力するサーバ装置４ａであり、個人動的情報取得部１００が、このサーバ装置４ａから送信される一のＷＥＢページを取得したとする。
【０１８３】
図９は、個人動的情報取得部１００が取得した一のＷＥＢページのソースの例を示す図（図９（ａ））、およびＷＥＢページの表示例を示す図（図９（ｂ））である。
【０１８４】
個人動的情報取得部１００は、図９に示すＷＥＢページのソースから、個人動的情報を取得する。ここでは、例えば、カード管理情報格納部（図示せず）に図６と同様のカード管理情報が格納されていたとすると、まず、個人動的情報取得部１００は、図６に示したカード管理情報の各レコードから順番に「ユーザＩＤ」の値を読み出し、読み出した値と一致する文字列が、図９（ａ）に示したＷＥＢページのソースに含まれているか否かを判断する。具体的には、読み出した値と一致する文字列をソース内において検索し、一致する文字列が検出された場合、一致する文字列が含まれていると判断する。ここでは、個人動的情報取得部１００が、ソースの１０ａの領域内に、「Ａ００２」という「ユーザＩＤ」と一致する文字列を検出したとする。なお、ソース内に、カード管理情報の全てのレコードに含まれるユーザ識別情報のいずれかと一致する文字列が含まれていない場合、このＷＥＢページから個人動的情報を取得する処理を終了し、次のＷＥＢページの取得を行う。
【０１８５】
個人動的情報取得部１００は、一致する「ユーザＩＤ」の値が含まれていると判断した場合、その「ユーザＩＤ」の値を個人動的情報として取得する。ここでは、「Ａ００２」という「ユーザＩＤ」を取得する。つぎに、個人動的情報取得部１００は、このソースにおいて、「ｄａｔｅ」という文字列を含むタグを検出する。そして、そのタグの要素（即ちタグで挟まれた情報）を、期間情報として取得する。さらに、そのタグ以降に出現するタグにおいて、「ｓｃｈｅｄｕｌｅ」という文字列を含む最初のタグを検出し、そのタグの要素を期間種類情報として取得する。ここでは、例えば、領域１０ｂの「＜ｔｄ  ｉｄ＝"ｄａｔｅ"＞」タグの要素である「２０１２／１１／１２〜２０１２／１１／１４」を期間情報として取得し、領域１０ｂの「＜ｔｄ  ｉｄ＝"ｓｃｈｅｄｕｌｅ"＞」タグの要素である「旅行：熱海」を期間種類情報として取得する。そして、この期間情報と期間種類情報と、上記で取得した「ユーザＩＤ」である「Ａ００２」とを有する個人動的情報を個人動的情報取得部１００が取得する。そして、上記の具体例１と同様に、個人動的情報格納部１０１に蓄積する。同様に、領域１０ｃ〜１０ｅについても、それぞれ期間情報と、期間種類情報との組を取得し、それぞれの組と上記で取得した「ユーザＩＤ」である「Ａ００２」とを有する個人動的情報を、個人動的情報格納部１０１に蓄積する。
【０１８６】
そして、図９（ａ）に示したソース内に、「ｄａｔｅ」という文字列を含むタグが検出されなくなった時点で、このＷＥＢページについての個人動的情報を取得する処理を終了する。その後、他のＷＥＢページを取得して、取得したＷＥＢページについて同様の個人動的情報を取得する処理を行う。
【０１８７】
図１０は、個人動的情報取得部１００が取得して個人動的情報格納部１０１に蓄積した個人動的情報管理情報を示す図である。この図は、図７の個人動的情報管理情報と同様の構造を有する管理情報であるとする。
【０１８８】
ユーザ抽出手段１０５１は、このように個人動的情報取得部１００が取得した個人動的情報について、それぞれ、上記の具体例１の場合と同様に、抽出特典管理情報を取得する。
【０１８９】
まず、ユーザ抽出手段１０５１は、図１０に示した個人動的情報管理情報の一番上のレコードの値を図示しないメモリ等に読み出す。また。ユーザ抽出手段１０５１は、図１１に示した特典管理情報の一番上のレコードの「期間種類」の値「旅行」を読み出す。この「期間種類」の値は、一番上のレコードの特典情報に対応する条件情報である。そして、この「期間種類」の値に対応する条件を取得する。ここでは、「期間種類」の値に対応する条件として、「個人動的情報に含まれる期間種類情報が、「期間種類」の値に一致する」という条件を取得することが、予め指定されているとする。この場合、一番上のレコードの値「旅行」から、「個人動的情報に含まれる期間種類情報が、「旅行」に一致する」という条件を取得する。
【０１９０】
次に、ユーザ抽出手段１０５１は、上記で読み出した個人動的情報管理情報の一番上のレコードの個人動的情報に含まれる期間種類情報「旅行：熱海」が、上記で取得した条件を満たすか否かを判断する。具体的には、期間種類情報「旅行：熱海」が、「旅行」に一致するか否かを判断する。ただし、ここでの一致は、部分一致であっても良いものとする。ここでは、「旅行：熱海」が、「旅行」と部分一致するため、一致すると判断する。
【０１９１】
また、上記と同様に、個人動的情報管理情報の一番上のレコードの個人動的情報と、特典管理情報の一番上のレコードの特典管理情報とについて、上記の具体例１と同様に、店舗の位置に対応する条件を満たすか否かの判断処理を行う。まず、ユーザ抽出手段１０５１は、上記で取得した個人動的情報に含まれるユーザ識別情報「Ａ００２」に対応する「住所」の値を、図６に示したカード管理情報から検索により取得する。また、ユーザ抽出手段１０５１は、特典管理情報の上から１番目のレコードの「店舗ＩＤ」の値「Ｇ２０００」を取得し、この値「Ｇ２０００」と一致する「店舗ＩＤ」を有するレコードを、図１４に示した特典情報管理情報から検出し、検出したレコードに含まれる「住所」の値を取得する。そして、取得した二つの「住所」の値が、予め指定された位置関係となるか否かを判断する。ここでは、予め指定された位置関係が、「住所」の「区」の値、即ち区名が一致するという条件であるとすると、ここでは、両者の区名が一致したとすると、ユーザ抽出手段１０５１は、店舗の位置に対応する条件を満たすと判断する。
【０１９２】
このため、ユーザ抽出手段１０５１は、上記で読み出した個人動的情報管理情報の一番上のレコードの個人動的情報に含まれる「ユーザＩＤ」の値「Ａ００２」及び「期間」の値「２０１２／１１／１２〜２０１２／１１／１４」と、図１１に示した特典管理情報の一番上のレコードの「店舗ＩＤ」の値「Ｇ２０００」および「店舗名」の値「Ａ旅行社」との組を取得し、図１５と同様の抽出特典管理情報として抽出特典格納部１１０に蓄積する。
【０１９３】
そして、レコード抽出部１０５は、同様の処理を、特典管理情報の上から二番目以降のレコードについても行う。
【０１９４】
レコード抽出部１０５が特典管理情報の全てのレコードについて上記の処理を行った場合、特典出力手段１０８２は、上記の具体例１と同様に、レコード抽出部１０５が、個人動的情報管理情報の上から１番目のレコードの個人動的情報について取得した特典情報等の情報の１以上の組を、１番目のレコードの個人動的情報が有する「ユーザＩＤ」の値に対応するメールアドレスに通知する。
【０１９５】
更に、レコード抽出部１０５は、図１０に示した個人動的情報管理情報の上から２番目以降の各レコードが示す個人動的情報についても、上記と同様の処理を行う。
【０１９６】
なお、その後の決済カードが利用された場合の特典情報を出力する処理等は、上記具体例１と同様である。
【０１９７】
この具体例２においては、個人動的情報をクローリングにより取得するため、サーバ装置が自発的に個人動的情報を情報処理装置１に送信する必要がない。このため、サーバ装置の構成等を簡易にできる。また、サーバ装置を運営する企業等の協力がなくても、個人動的情報を自動取得して、特典の出力が可能となる
【０１９８】
以上、本実施の形態によれば、決済カードを利用したユーザに対して、ユーザの個人動的情報に応じた特典を与えることができるため、カード決済を行ったユーザに対して、このユーザについて動的に設定された期間に応じた適切な特典を与えることができる。
【０１９９】
なお、上記各具体例においては、特典情報取得部１０５が、ユーザ抽出手段１０５１と取得手段１０５２とを備えており、ユーザ抽出手段１０５１が抽出したユーザ識別情報と特典情報との組から、取得手段１０５２が特典情報をカード利用情報に対応した特典情報を取得する例について説明した。しかしながら、本願発明においては、通知手段１０８１による特典情報の通知が不要な場合等には、特典情報取得部１０５が、ユーザ識別情報と特典情報との組を利用せずに、カード利用情報に対応した特典情報を取得するようにしてもよい。例えば、特典情報取得部１０５は、カード利用情報受付部１０４が受け付けたカード利用情報に含まれるカード識別情報と対応する個人動的情報を、第二カード管理情報格納部１０３２から検索等により取得し、取得したユーザ識別情報に対応する個人動的情報を、個人動的情報取得部１００が取得した個人動的情報の中から検出する。取得したユーザ識別情報に対応する個人動的情報は、例えば、取得したユーザ識別情報と一致するユーザ識別情報を有する個人動的情報である。そして、特典情報取得部１０５は、この検出した個人動的情報に対応する特典情報を特典情報格納部１０２から取得しても良い。例えば、特典情報取得部１０５は、特典情報格納部１０２に格納されている特典管理情報であって、この特典管理情報が有する条件情報に対応した条件を、検出した個人動的情報が満たす特典管理情報が有する特典情報を取得する。例えば、特典情報取得部１０５は、条件情報である期間種類情報が、検出した個人動的情報が有する期間種類情報と対応する（例えば、一致する）特典管理情報を検索し、検出した特典管理情報に含まれる特典情報を取得するようにしてもよい。
【０２００】
また、上記各具体例において、特典情報の通知が不要である場合、通知手段１０８１を省略しても良い。また、特典出力手段１０８２による特典情報の出力が不要の場合、取得手段１０５２及び特典出力手段１０８２は省略してもよい。
【０２０１】
特に、個人動的情報が、休暇情報である場合、ユーザにとっては、休暇の際に特典を受けることができるため、休暇を取ることに対するモチベーションが高くなるという効果や、特典を受けることによって休暇を有意義に過ごせる等の効果がある。また、企業にとっては、社員が有給休暇を取りたくなるため、社員による有給休暇の取得率をアップさせることが可能となる。また、社員の休暇の目的等に応じて特典を与えることによって、福利厚生の一手段としても利用することができる。また、決済カードの加盟店等においては、休日以外の平日の昼間等の閑散期に、来店するユーザを増やすことができるという効果がある。また、カード会社は、上記のようなメリットによって、会員数を増加させることや、加盟店での決済カードの利用を増加させることが可能となる。
【０２０２】
なお、上記実施の形態において、各処理（各機能）は、単一の装置（システム）によって集中処理されることによって実現されてもよく、あるいは、複数の装置によって分散処理されることによって実現されてもよい。
【０２０３】
また、上記実施の形態において、一の装置に存在する２以上の通信手段（個人動的情報取得部１００やカード利用情報受付部１０４等）は、物理的に一の媒体で実現されても良いことは言うまでもない。
【０２０４】
また、上記実施の形態の情報処理装置は、スタンドアロンの装置であってもよく、サーバ・クライアントシステムにおけるサーバ装置であってもよい。後者の場合には、出力部や受付部は、通信回線を介して入力を受け付けたり、画面を出力したりすることになる。
【０２０５】
また、上実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。その実行時に、プログラム実行部は、格納部（例えば、ハードディスクやメモリ等の記録媒体）にアクセスしながらプログラムを実行してもよい。
【０２０６】
なお、上記各実施の形態における情報処理装置を実現するソフトウェアは、以下のようなプログラムである。つまり、このプログラムは、ユーザに提供される特典を示す情報である特典情報と、個人動的情報についての条件に関する情報である条件情報とを有する１以上の特典管理情報が格納される特典情報格納部にアクセス可能なコンピュータを、ユーザについて動的に設定される期間に関する情報である個人動的情報を取得する個人動的情報取得部と、特典情報格納部に格納されている特典管理情報であって、当該特典管理情報が有する条件情報に対応した条件を、個人動的情報取得部が取得した個人動的情報が満たす特典管理情報が有する特典情報を取得する特典情報取得部と、特典情報取得部が取得した特典情報を出力する出力部として機能させるためのプログラムである。
【０２０７】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【０２０８】
なお、上記プログラムにおいて、上記プログラムが実現する機能には、ハードウェアでしか実現できない機能は含まれない。例えば、情報を取得する取得部や、情報を出力する出力部などにおけるモデムやインターフェースカードなどのハードウェアでしか実現できない機能は、上記プログラムが実現する機能には含まれない。
【０２０９】
また、このプログラムを実行するコンピュータは、単数であってもよく、複数であってもよい。すなわち、集中処理を行ってもよく、あるいは分散処理を行ってもよい。
【０２１０】
図１２は、上記プログラムを実行して、上記実施の形態による情報処理装置を実現するコンピュータの外観の一例を示す模式図である。上記実施の形態は、コンピュータハードウェア及びその上で実行されるコンピュータプログラムによって実現されうる。
【０２１１】
図１２において、コンピュータシステム９００は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０５、ＦＤ（Ｆｌｏｐｐｙ（登録商標）  Ｄｉｓｋ）ドライブ９０６を含むコンピュータ９０１と、キーボード９０２と、マウス９０３と、モニタ９０４とを備える。
【０２１２】
図１３は、コンピュータシステム９００の内部構成を示す図である。図１３において、コンピュータ９０１は、ＣＤ−ＲＯＭドライブ９０５、ＦＤドライブ９０６に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ（Ｒａｎｄｏｍ  Ａｃｃｅｓｓ  Ｍｅｍｏｒｙ）９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、ＬＡＮへの接続を提供する図示しないネットワークカードを含んでいてもよい。
【０２１３】
コンピュータシステム９００に、上記実施の形態による情報処理装置等の機能を実行させるプログラムは、ＣＤ−ＲＯＭ９２１、またはＦＤ９２２に記憶されて、ＣＤ−ＲＯＭドライブ９０５、またはＦＤドライブ９０６に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１やＦＤ９２２、またはネットワークから直接、ロードされてもよい。
【０２１４】
プログラムは、コンピュータ９０１に、上記実施の形態による情報処理装置の機能を実行させるオペレーティングシステム（ＯＳ）、またはサードパーティプログラム等を必ずしも含んでいなくてもよい。プログラムは、制御された態様で適切な機能（モジュール）を呼び出し、所望の結果が得られるようにする命令の部分のみを含んでいてもよい。コンピュータシステム９００がどのように動作するのかについては周知であり、詳細な説明は省略する。
【０２１５】
本発明は、以上の実施の形態に限定されることなく、種々の変更が可能であり、それらも本発明の範囲内に包含されるものであることは言うまでもない。
【産業上の利用可能性】
【０２１６】
以上のように、本発明にかかる情報処理装置等は、決済カードを用いて決済を行うための装置として適しており、特に、決済カードを利用したユーザに特典を与える装置等として有用である。
【符号の説明】
【０２１７】
１  情報処理装置
２ａ〜２ｃ  決済端末装置
３  サーバ装置
４ａ〜４ｃ  サーバ装置
５  決済カード
１００  個人動的情報取得部
１０１  個人動的情報格納部
１０２  特典情報格納部
１０３１  第一カード管理情報格納部
１０３２  第一カード管理情報格納部
１０３３  第一カード管理情報格納部
１０４  カード利用情報受付部
１０５  特典情報取得部
１０５１  ユーザ抽出手段
１０５２  特典情報取得手段
１０７  店舗位置管理情報格納部
１０８  出力部
１０８１  通知手段
１０８２  特典出力手段
１１０  抽出特典格納部
３００  個人動的情報受付部
３０１  サーバ個人動的情報格納部
３０２  判断部
３０３  送信部
１０００、１００１  情報処理システム
【図１】
2014106632.tif 000003
【図２】
2014106632.tif 000004
【図３】
2014106632.tif 000005
【図４】
2014106632.tif 000006
【図５】
2014106632.tif 000007
【図６】
2014106632.tif 000008
【図７】
2014106632.tif 000009
【図８】
2014106632.tif 000010
【図９】
2014106632.tif 000011
【図１０】
2014106632.tif 000012
【図１１】
2014106632.tif 000013
【図１２】
2014106632.tif 000014
【図１３】
2014106632.tif 000015
【図１４】
2014106632.tif 000016
【図１５】
2014106632.tif 000017
【図１６】
2014106632.tif 000018
【図１７】
2014106632.tif 000019